(57)【要約】      （修正有）【課題】ネットワーク性能解析で使用するためのデータの収集を制御する装置を提供する。【解決手段】装置のネットワーク解析機能は、エンドユーザの観点からネットワークを見ることによってネットワーク内のサービス障害の予防的検出を行う。予防的検出は、エンドユーザ・デバイスに、サービスに影響のある問題が生じていないか監視し、そのような問題が検出されたときにサービスに影響のある問題を自律的に報告するバックグラウンド・アプリケーションを走らせる。バックグラウンド・アプリケーションは、問題が検出される前および／または後に、診断情報を収集し、その診断情報を解析のためネットワークに転送する。ネットワーク・ノードは、エンドユーザ・デバイスから収集したデータ、１つまたは複数のネットワークベースのデータ・コレクタから収集したデータを編集して解析し、問題を診断し、サービスが影響を受ける可能性がある前に動的に対応する。【選択図】図１
2014225883.tif 000002
【特許請求の範囲】
【請求項１】
ネットワークからのデータの収集を制御するための装置であって、
前記ネットワークのネットワーク要素のセットを含むネットワーク経路を介して通信するように構成されたワイヤレス・ユーザ・デバイスからフィードバック情報を受信し、前記フィードバック情報が前記ワイヤレス・ユーザ・デバイスによるイベントの検出を示す情報を含み、前記イベントが検出されたときの前記ワイヤレス・ユーザ・デバイスの地理的位置を示す位置情報を前記フィードバック情報が含み、
前記ネットワーク経路のネットワーク要素の前記セットから、前記イベントに関係するデータが収集される前記ネットワーク経路の複数のネットワーク要素を識別し、前記複数のネットワーク要素の内の少なくとも１つは前記位置情報の少なくとも一部に基づいて識別され、
前記ネットワーク経路の複数の前記ネットワーク要素を介して、前記ネットワーク経路の前記複数のネットワーク要素からデータを要求するように適合されたそれぞれのメッセージを伝搬する
ように構成されたプロセッサと、
前記プロセッサに通信可能に接続されるメモリとを備える装置。
【請求項２】
前記位置情報の少なくとも一部に基づいて識別される前記複数のネットワーク要素の内の少なくとも１つは前記ワイヤレス・ユーザ・デバイスの前記地理的位置の近くに配置されているワイヤレス・アクセス・ノードを含む
請求項１に記載の装置。
【請求項３】
前記プロセッサは、
前記ネットワーク経路の少なくとも一部を、前記ワイヤレス・アクセス・ノードに基づき識別し、
前記ネットワーク経路の前記識別された少なくとも一部に基づいて前記複数のネットワーク要素の他の少なくとも１つを識別するように構成される請求項２に記載の装置。
【請求項４】
前記複数のネットワーク要素の内の少なくとも１つに対して、前記ネットワーク要素からデータを要求するように適合された前記ぞれぞれのメッセージは、
データの収集を開始するよう前記ネットワーク要素に命令するように構成されたメッセージ、または
すでに収集されているデータを取り出すよう前記ネットワーク要素に命令するように構成されたメッセージ
のうちの少なくとも１つを含む請求項１に記載の装置。
【請求項５】
前記プロセッサは、
前記イベントに関係するデータが収集される前記ネットワーク経路の前記複数のネットワーク要素の内の少なくとも１つからデータを受信し、
前記受信したデータの少なくとも一部を処理して管理機能を実現する
ように構成される請求項１に記載の装置。
【請求項６】
前記プロセッサは、
前記ワイヤレス・ユーザ・デバイスまたはアプリケーション・サーバのうちの少なくとも１つに向かって、前記ワイヤレス・ユーザ・デバイスと前記アプリケーション・サーバとの間でテストを実行する命令を含むメッセージを伝搬するか、または
前記ワイヤレス・ユーザ・デバイスとアプリケーション・サーバとの間で実行されたテストに関連するテスト結果を受信し、前記テスト結果に少なくとも一部は基づき前記イベントに関係するデータが収集される前記ネットワーク経路の前記複数のネットワーク要素の内の少なくとも１つを識別する
ように構成される請求項１に記載の装置。
【請求項７】
前記プロセッサは、
前記ワイヤレス・ユーザ・デバイスに向かって、前記ワイヤレス・ユーザ・デバイスに一定期間通信を休止させるように適合されたメッセージを伝搬するように構成される請求項１に記載の装置。
【請求項８】
ネットワークからのデータの収集を制御するための方法であって、
プロセッサおよびメモリを使用して、
前記ネットワークのネットワーク要素のセットを含むネットワーク経路を介して通信するように構成されたワイヤレス・ユーザ・デバイスから、前記ワイヤレス・ユーザ・デバイスによるイベントの検出を示す情報を含むフィードバック情報を受信するステップであって、前記イベントが検出されたときの前記ワイヤレス・ユーザ・デバイスの地理的位置を示す位置情報を前記フィードバック情報が含むステップと、
前記ネットワーク経路のネットワーク要素の前記セットから、前記イベントに関係するデータが収集される前記ネットワーク経路の複数のネットワーク要素を識別するステップであって、前記複数のネットワーク要素の内の少なくとも１つは前記位置情報の少なくとも一部に基づいて識別され、
前記ネットワーク経路の複数の前記ネットワーク要素を介して、前記ネットワーク経路の前記複数のネットワーク要素からデータを要求するように適合されたそれぞれのメッセージを伝搬するステップと
を含む方法。
【請求項９】
コンピュータによって実行されたときに、ネットワークからのデータの収集を制御するための方法を前記コンピュータに実行させる命令を格納するコンピュータ可読記憶媒体であって、前記方法は、
前記ネットワークのネットワーク要素のセットを含むネットワーク経路を介して通信するように構成されたワイヤレス・ユーザ・デバイスからフィードバック情報を受信するステップであって、前記フィードバック情報が前記ワイヤレス・ユーザ・デバイスによるイベントの検出を示す情報を含み、前記イベントが検出されたときの前記ワイヤレス・ユーザ・デバイスの地理的位置を示す位置情報を前記フィードバック情報が含み、
前記ネットワーク経路のネットワーク要素の前記セットから、前記イベントに関係するデータが収集される前記ネットワーク経路の複数のネットワーク要素を識別するステップであって、前記複数のネットワーク要素の内の少なくとも１つは前記位置情報の少なくとも一部に基づいて識別され、
前記ネットワーク経路の複数の前記ネットワーク要素を介して、前記ネットワーク経路の前記複数のネットワーク要素からデータを要求するように適合されたそれぞれのメッセージを伝搬するステップと
を含むコンピュータ可読記憶媒体。
【請求項１０】
前記位置情報は、
前記ワイヤレス・ユーザ・デバイスと関連する位置情報サービス（ＬＢＳ）、または、
前記ワイヤレス・ユーザ・デバイスと関連するグローバル・ポジショニング・システム（ＧＰＳ）
の内の少なくとも一方を含む請求項１に記載の装置。
【発明の詳細な説明】
【技術分野】
【０００１】
本発明は、一般的に通信ネットワークに関するものであり、より詳細には、限定するものではないが、通信ネットワークの管理をサポートすることに関するものである。
【背景技術】
【０００２】
ワイヤレス・ネットワーク・サービス・プロバイダ（ＷＮＳＰ）は、運転コストを最小限度に抑えながら高いサービス品質を保つ新しい高速データ・サービスをエンドユーザ（例えば、スマートフォンおよび他のタイプのワイヤレス・デバイスを使用するエンドユーザ）に提供するという、大きな難題に直面している。このような難題を背景として、スマートフォンは、従来の携帯電話に比べて、ワイヤレス・データ・ネットワークに対する需要がかなり大きくなっている。高速データをリアルタイムで利用することに対する需要のこのような増大は、ＷＮＳＰがワイヤレス・データ・ネットワークをアップグレードし、監視し、保守する能力を超えることがたびたびある。その結果、ＷＮＳＰは、この難題に対応できるようにネットワーク内のサービスに影響する障害を識別し、解決することを試みるため問題検出ツールおよび運用方法を利用している。
【発明の概要】
【発明が解決しようとする課題】
【０００３】
従来技術のさまざまな欠陥が、ネットワーク解析機能を実現するための実施形態によって解消される。
【課題を解決するための手段】
【０００４】
一実施形態では、ネットワークからのデータの収集を制御するための装置は、ネットワークのネットワーク経路を介して通信するように構成されたワイヤレス・ユーザ・デバイスから、ワイヤレス・ユーザ・デバイスによるイベントの検出を示すフィードバック情報を受信し、イベントが検出されたときのワイヤレス・ユーザ・デバイスの地理的位置を示す位置情報をフィードバック情報が含み、少なくとも一部は位置情報に基づき、イベントに関係するデータを収集するように構成されたネットワーク経路のネットワーク要素を識別し、識別されたネットワーク要素から収集されたデータを要求するように適合されたメッセージを生成するように構成されたプロセッサを備える。
【０００５】
一実施形態では、ネットワークからのデータの収集を制御するための方法は、ネットワークのネットワーク経路を介して通信するように構成されたワイヤレス・ユーザ・デバイスからのネットワーク・ノードで、ワイヤレス・ユーザ・デバイスによるイベントの検出を示すフィードバック情報を受信するステップであって、イベントが検出されたときのワイヤレス・ユーザ・デバイスの地理的位置を示す位置情報をフィードバック情報が含むステップと、少なくとも一部は位置情報に基づき、イベントに関係するデータを収集するように構成されたネットワーク経路のネットワーク要素を識別するステップと、識別されたネットワーク要素から収集データを要求するように適合されたメッセージを生成するステップとを含む。
【０００６】
本明細書の教示は、付属の図面とともに以下の説明を考察することによりよく理解できる。
【図面の簡単な説明】
【０００７】
【図１】例示的なロング・ターム・エボリューション（ＬＴＥ）ネットワークを背景とするネットワーク解析機能の一実施形態を示す、例示的なワイヤレス通信システムを示す図である。
【図２】ネットワーク性能解析で使用するためのデータの収集を制御するためのネットワーク解析機能の使用例を示す、図１の例示的なワイヤレス通信システムを示す図である。
【図３】単一のＵＥがデータ収集サーバによるデータ収集の開始を引き起こすイベントを識別する例示的な一実施形態を示す図である。
【図４】単一のＵＥがネットワーク・オペレータによって設定されたパラメータに基づきデータ収集サーバによるデータ収集の開始を引き起こすイベントを識別する例示的な一実施形態を示す図である。
【図５】データ収集サーバがデータ収集サーバによるデータ収集の開始を引き起こす複数のイベントの相関を求める例示的な一実施形態を示す図である。
【図６】ネットワーク・オペレータがデータ収集システムを使用して新しい市場セグメントにおけるネットワーク性能をテストする例示的な一実施形態を示す図である。
【図７】データ収集サーバはデータ収集システムから情報を収集し、サードパーティ・システムから情報を収集し、ネットワーク・オペレータによって使用される情報の相関を求める例示的な一実施形態を示す図である。
【図８】ネットワークからのデータの収集を制御するための方法の一実施形態を示す図である。
【図９】イベントの検出に応答してデータ収集フィードバック情報を提供するための方法の一実施形態を示す図である。
【図１０】本明細書で説明されている機能を実行する際に使用するのに適しているコンピュータの高水準ブロック図である。
【発明を実施するための形態】
【０００８】
理解しやすくするために、同一の参照番号を使用し、これらの図に共通の同一の要素をできる限り指定する。
【０００９】
一般に、ワイヤレス・ネットワークとともに使用するためのネットワーク解析機能が本明細書に図示され、説明されているが、他のさまざまな機能も本明細書に提示されうることに留意されたい。
【００１０】
少なくともいくつかの実施形態において、ネットワーク解析機能は、エンドユーザの観点からネットワークを見ることによってネットワーク内のサービス障害の予防的検出をサポートする。少なくとも１つの実施形態において、予防的検出は、エンドユーザ・デバイス（例えば、スマートフォンおよび他のデバイス）に、サービスに影響のある問題が生じていないか監視し、そのような問題が検出されたときにサービスに影響のある問題を自律的に報告するバックグラウンド・アプリケーションを走らせることによって実現される。バックグラウンド・アプリケーションは、問題が検出される前および／または後に、診断情報を収集し、その診断情報を解析のためネットワーク・ノードに転送する。ネットワーク・ノードは、エンドユーザ・デバイスから収集したデータ、１つまたは複数のネットワークベースのデータ・コレクタから収集したデータ、および、オプションにより、１つまたは複数のネットワーク・サポート・システムからの情報を編集して解析し、問題を診断し、サービスがなおいっそう影響を受ける可能性がある前に動的に対応する。こうして、ワイヤレス・オペレータは、顧客にエクスペリエンスの改善された質および信頼性を提供することができる。
【００１１】
少なくともいくつかの実施形態では、ネットワーク解析機能は、ネットワーク運用技術者がワイヤレス・ネットワークに対して管理機能を実行している間にネットワーク運用技術者側のデータ収集のニーズを予想するように構成された協調活動管理機構を備える（例えば、問題のトラブルシューティングを行う過程で必要になるデータ、問題を是正する過程で必要になるデータ、および同様のもの、さらにはこれらのさまざまな組合せ）。このようにして、ネットワーク解析機能の実施形態のうちの少なくともいくつかは、ワイヤレス・ネットワークにおける問題に対応して、問題のトラブルシューティングおよび解決を実施するための機構を備える。
【００１２】
少なくともいくつかの実施形態では、ネットワーク解析機能は、データ収集機能を改善し、それにより、さまざまなタイプの入力情報に基づき、さまざまな規模で、データ収集の自動化されたアクティブ化および非アクティブ化を利用できるようにする。例えば、ネットワーク解析機能により、製品特有のネットワーク性能に関係する情報、ワイヤレス・ネットワーク上の特定のエンドユーザ・デバイスもしくはエンドユーザ・デバイスのグループに関連するエラー、および同様のもの、さらにはこれらのさまざまな組合せのうちの１つまたは複数に基づきデータ収集のアクティブ化および／または非アクティブ化を実行することができる。少なくともいくつかの場合において、これにより、問題が発生した後の問題の認識に基づく、またデータ・キャプチャ・ツールを使用するネットワーク・オペレータによるデータ収集の手動設定に基づく、またはそのような手動設定を必要とすることすらある、ネットワーク診断データのキャプチャに関する改善がもたらされる。
【００１３】
少なくともいくつかの実施形態では、ネットワーク解析機能は、さまざまなデータ解析および関連する管理機能を実行する際に使用するため解析されるデータのターゲットとされる収集をサポートする。データの収集は、さまざまな粒度レベルでターゲットにされうる（例えば、エンドユーザ・デバイスに基づき、１つまたは複数の共通の特性を共有するエンドユーザ・デバイスの１つまたは複数のグループに対して、ワイヤレス・ネットワーク・ノードまたは関連するインターフェースに基づき、および同様の方法で、さらにはこれらのさまざまな組合せで）。その結果、少なくともいくつかの場合において、すべてのエンドユーザ・デバイスに対するデータをキャプチャし、解析する必要がなくなり、そのため、さまざまな管理機能を備えるために必要なデータ記憶容量の削減、さまざまな管理機能を備えるために解析されるデータの量の削減、および同様のこと、さらにはこれらのさまざまな組合せが実現する。
【００１４】
少なくともいくつかの実施形態では、ネットワーク解析機能は、ネットワーク要素および／またはエンドユーザ・デバイスによって検出されるイベントに基づきデータ収集および解析を制御するように構成される。
【００１５】
少なくともいくつかの実施形態では、ネットワーク解析機能は、ネットワーク・デバイスおよび／またはエンドユーザ・デバイスからのデータの収集をサポートする。
【００１６】
少なくともいくつかの実施形態では、ネットワーク解析機能は、データ・ストリームの協調キャプチャ、キャプチャされたデータ・ストリームの復号化（例えば、ベアラ・トラヒックの復号化を含みうる）、復号化されたデータ・ストリームの解析、および同様の操作、さらにはこれらのさまざまな組合せをサポートする。
【００１７】
少なくともいくつかの実施形態では、ネットワーク解析機能を利用することで、ワイヤレス・データ・ネットワーク（例えば、ＲＡＮ、バックホール、パケット・コア、および同様のもの）のさまざまなドメインにまたがるトランスポートの特性に関する情報の収集が可能になり、それにより、ネットワークにおけるツールによるデータ収集の協調が改善され、またネットワーク・オペレータに（例えば、データ・キャプチャおよび解析機能の計画、運用、および管理のために）利用可能であるデータ収集管理機能が改善される。
【００１８】
少なくともいくつかの実施形態では、ネットワーク解析機能は、さまざまな管理機能を実行する際に使用するためターゲットとされるデータ収集および／または解析を円滑にする。例えば、管理機能は、ネットワーク監視および／または管理機能、サービス監視および／または管理機能、ならびに同様のもの、さらにはこれらのさまざまな組合せを含みうる（これらの少なくとも一部は、問題予測解析機能、根本原因解析機能、推奨機能、および同様のもの、さらにはこれらのさまざまな組合せを含みうる）。
【００１９】
少なくともいくつかの実施形態では、ネットワーク解析機能は、トラヒック問題に基づきさまざまな管理機能を実行する（例えば、根本原因解析を実行する、改善策を推奨する、および同様の作業をする）際に使用するため解析を実行するように構成される。
【００２０】
少なくともいくつかの実施形態では、ネットワーク解析機能は、さまざまな形態のネットワーク・データ関係情報（例えば、ネットワークからキャプチャされた、またはネットワークに関連するデータ、ネットワークからキャプチャされた、またはネットワークに関連するデータの解析結果、および同様のもの）を非ネットワーク・データ関係情報および／またはツール（例えば、構成ロジックおよび／またはデータ、サービス・ロジックおよび／またはデータ、および同様のもの、さらにはこれらのさまざまな組合せ）と組み合わせるように構成される。
【００２１】
特定のタイプのワイヤレス通信ネットワーク（つまり、ロング・ターム・エボリューション（ＬＴＥ）ネットワーク）を背景として本明細書にもっぱら図示され説明されているが、ネットワーク解析機能の実施形態の少なくとも一部は、他のタイプのワイヤレス通信ネットワークおよび／または有線通信ネットワークとともに使用するうえで適用可能であるものとしてよいことに留意されたい。
【００２２】
ネットワーク解析機能のさまざまな実施形態は、図１に示されているように、例示的なワイヤレス・ネットワークへのネットワーク解析機能の実施形態の適用を参照することで理解しやすくなると思われる。
【００２３】
図１は、例示的なロング・ターム・エボリューション（ＬＴＥ）ネットワークを背景とするネットワーク解析機能の一実施形態を示す、例示的なワイヤレス通信システムを示している。
【００２４】
図１に示されているように、例示的なワイヤレス通信システム１００は、複数のユーザ装置（ＵＥ）またはユーザ・デバイス（ＵＤ）１０２、ロング・ターム・エボリューション（ＬＴＥ）ネットワーク１１０、ＩＰネットワーク・ゲートウェイ（ＩＮＧ）１２０、複数のデータ・コレクタ（ＤＣ）１３０、データ収集サーバ（ＤＣＳ）１４０、アプリケーション・サーバ（ＡＳ）１５０、およびシステム・サーバ（ＳＳ）１６０を備える。
【００２５】
ＵＥ  １０２は、複数のコンシューマＵＥ  １２０ｃ、およびオプションで、１つまたは複数のオペレータＵＥ  １０２ｏを含む。一般に、コンシューマＵＥ  １０２ｃは、例示的なワイヤレス通信システム１００を介してワイヤレス・サービスを提供するワイヤレス・ネットワーク・サービス・プロバイダの顧客によって使用されるエンドユーザ・デバイスを含む。一般に、オペレータＵＥ  １０２ｏは、ワイヤレス・ネットワーク・サービス・プロバイダ向けのさまざまな機能（例えば、ネットワーク性能試験および解析機能、ネットワーク性能劣化およびエラー診断機能、ならびに同様のもの、さらにはそのさまざまな組合せ）を実行するためにネットワーク・オペレータ技師（より一般的にオペレータとも称される）によって使用されうるエンドユーザ・デバイスを含む。
【００２６】
コンシューマＵＥ  １０２ｃは、ＬＴＥネットワーク１１０などの、ワイヤレス・ネットワークにアクセスすることができるワイヤレス・ユーザ・デバイスを含む。一般に、コンシューマＵＥ  １０２ｃは、（１）ＬＴＥネットワーク１１０を経由する１つまたは複数のＩＰネットワーク（明確にするため省略されている）への１つまたは複数の・セッション、および（２）ベアラ・セッション（複数可）をサポートする制御シグナリングをサポートすることができる。例えば、コンシューマＵＥ  １０２ｃは、スマートフォン、コンピュータ、および／または他の任意のタイプ（複数可）のワイヤレス・ユーザ・デバイス（複数可）を含むものとしてよい。
【００２７】
一実施形態において、コンシューマＵＥ  １０２ｃは、ネットワーク解析機能のさまざまな機能をサポートするように構成される。
【００２８】
一実施形態において、例えば、コンシューマＵＥ  １０２ｃは、検出されるとコンシューマＵＥ  １０２ｃがＬＴＥネットワーク１１０に関連するデータの収集を円滑にする１つまたは複数の機能を実行することをトリガする１つまたは複数のイベントが生じていないか監視するように構成されうる。
【００２９】
一実施形態において、例えば、トリガ条件の検出は、コンシューマＵＥ  １０２ｃが、ＤＣ  １３０、ＤＣＳ  １４０、およびＳＳ  １６０のうちの１つまたは複数の方へ、ＤＣ  １３０、ＤＣＳ  １４０、およびＳＳ  １６０のうちの１つまたは複数にデータ収集プロセスを開始させる（例えば、ＤＣ  １３０にデータを収集させる、ＤＣＳ  １４０にＤＣ  １３０にデータを収集させるための制御データを生成させる、および同様の動作を行わせる、さらにはこれらのさまざまな組合せを行わせる）ように適合されたデータ収集フィードバック情報を伝搬するトリガとなりうる。データ収集フィードバック情報は、データ収集プロセスを開始するようＤＣ  １３０、ＤＣＳ  １４０、およびＳＳ  １６０のうちの１つまたは複数に命令する際に使用する（また、オプションにより、データ収集プロセスの１つまたは複数の態様（例えば、粒度、タイミング、収集すべきデータのタイプ（複数可）の指示、および同様のもの、さらにはこれらのさまざまな組合せを制御する）ための情報を含みうる。データ収集フィードバック情報は、管理機能を実現するためにＤＣＳ  １４０および／またはＳＳ  １６０によって処理されうる追加の情報を（例えば、ＬＴＥネットワーク１１０の要素から）取得するためにＤＣＳ  １４０および／またはＳＳ  １６０によって使用されうる情報を含むものとしてよい。例えば、データ収集フィードバック情報は、コンシューマＵＥ  １０２ｃの識別子、コンシューマＵＥ  １０２ｃに関連する情報（例えば、製造元、モデル、デバイス機能、および同様のもの）、ＵＥ  １０２ｃに関連する位置情報（例えば、位置情報サービス（ＬＢＳ）からの位置情報、グローバル・ポジショニング・システム（ＧＰＳ）データ、アシスト型ＧＰＳ（Ａ−ＧＰＳ）データ、および同様のもの）、および同様のもの、さらにはこれらのさまざまな組合せを含みうる。
【００３０】
一実施形態では、例えば、トリガ条件の検出は、コンシューマＵＥ  １０２ｃがＤＣＳ  １４０、ＡＳ  １５０、およびＳＳ  １６０のうちの１つまたは複数の方へ、コンシューマＵＥ  １０２ｃによって収集された、収集データを伝搬するトリガとなりうる。このトリガ条件は、データ収集フィードバック情報をＤＣＳ  １４０に供給することをコンシューマＵＥ  １０２ｃに行わせる可能性のあるコンシューマＵＥ  １０２ｃによるイベントの検出、ＤＣＳ  １４０からのデータ収集制御情報の受信、コンシューマＵＥ  １０２ｃによる条件のローカルの検出、および同様のもののうちの１つまたは複数とすることができる。一実施形態では、例えば、収集データは、ＤＣＳ  １４０、ＡＳ  １５０、およびＳＳ  １６０のうちの１つまたは複数によって処理されうる情報を含むことができる（例えば、１つまたは複数のＤＣ  １３０にデータの収集を行わせるためＤＣＳ  １４０にデータ・フィードバック制御情報を開始させること、ＡＳ  １５０に１つまたは複数のテストを開始させること、ＤＣＳ  １４０および／またはＳＳ  １６０に１つまたは複数の管理機能を実現させること、および同様の操作、さらにはこれらのさまざまな組合せのため）。例えば、収集データは、イベント検出情報（例えば、検出されたイベントのタイプ、検出されたイベントの詳細、イベントが検出されたときのコンシューマＵＥ  １０２ｃの地理的位置を示す位置情報、および同様の情報）、コンシューマＵＥ  １０２ｃのベアラおよび／または制御データ、コンシューマＵＥ  １０２ｃによって認識されたエラーを報告するためのトラップ、コンシューマＵＥ  １０２ｃによって実行されたデータ送信テストの結果、収集データの前記タイプのいずれかに関するコンシューマＵＥ  １０２ｃのネットワーク上の位置および／または地理的位置を示す位置情報、および同様の情報、さらにはこれらのさまざまな組合せを含むことができる。
【００３１】
一実施形態において、コンシューマＵＥ  １０２ｃの１つまたは複数は、そのようなデータを収集し、そのようなデータをＤＣＳ  １４０および／またはＳＳ  １６０に供給するように構成されたＤＣ  １３０を備えるように構成されうる。
【００３２】
一実施形態において、コンシューマＵＥ  １０２ｃのそれぞれは、アプリケーション１０３ｃをそれぞれ備える。コンシューマＵＥ  １０２ｃのアプリケーション１０３ｃは、本明細書に図示され説明されているようなさまざまな機能を実現するように構成されうる（例えば、トリガ検出、ＤＣＳ  １４０へのデータ収集フィードバック情報の伝搬、データの収集、および同様の操作）。一実施形態において、アプリケーション１０３ｃは、アプリケーション１０３ｃによるトリガ条件（例えば、コンシューマＵＥ  １０２ｃに関連するデータ通信エラー、コンシューマＵＥ  １０２ｃに関連するサービス品質の劣化、および同様のもの）の検出に応答してＤＣＳ  １４０へのデータ収集フィードバックメッセージを開始するように構成される。一実施形態において、アプリケーション１０３ｃは、１つまたは複数の他のタイプの情報（例えば、トリガー・イベント通知、サービスを対象とするトリガ要求、および同様のもの）を伝搬するように構成される。一実施形態において、アプリケーション１０３ｃは、位置情報を決定するように構成される（例えば、データ収集フィードバック情報の一部としてＤＣＳ  １４０に伝搬するため、コンシューマＵＥ  １０２ｃのＤＣ  １３０によって収集される収集データとの関連付けのため、および同様もののため）。一実施形態において、アプリケーション１０３ｃは、コンシューマＵＥ  １０２ｃのローカルにあるＤＣ  １３０を制御するように構成される（例えば、データ収集フィードバック情報、収集データ、および同様のもの、さらにはそれらのさまざまな組合せとしてＤＣＳ  １４０に提供されうる情報の収集を制御するため）。一実施形態において、アプリケーション１０３ｃは、ネットワーク・データを集めるように構成される。一実施形態において、アプリケーション１０３ｃは、１つまたは複数の条件（例えば、コンシューマＵＥ  １０２ｃによるトリガの検出、ＤＣＳ  １４０からデータ収集制御情報の受信、および同様の動作）に応答してテスト（例えば、テスト・パケットをＡＳ  １５０に送信し、および／またはテスト・パケットをＡＳ  １５０から受信すること、テスト・パケットをＬＴＥネットワーク１１０の１つまたは複数のネットワーク要素に送信し、および／またはＬＴＥネットワーク１１０の１つまたは複数のネットワーク要素からテスト・パケットを受信すること、および同様の動作、さらにはこれらのさまざまな組合せ）を実行するように構成される。一実施形態において、アプリケーション１０３ｃは、コンシューマＵＥ  １０２ｃ上でステルス・モードで動作するように構成される（例えば、トリガがプリセットされ（例えば、ＷＮＳＰによって）、ユーザ制御可能ではない場合）。一実施形態において、アプリケーション１０３ｃは、コンシューマＵＥ  １０２ｃ上で完全制御モードで動作し（例えば、エンドユーザがアプリケーション１０３ｃ、サーバー・インターフェース（例えば、ＤＣＳ  １４０およびオプションによりＳＳ  １６０）へのコマンド・ストリーム、および同様のもののうちの１つまたは複数に対する制御権を有している場合）、同様に、コンシューマＵＥ  １０２ｃのユーザによる制御を可能にするためのユーザー・インターフェースをサポートするように構成される。一実施形態において、アプリケーション１０３ｃは、コンシューマＵＥ  １０２ｃ上のアプリケーション１０３ｃのオペレータ制御をサポートするように構成される。一実施形態において、アプリケーション１０３ｃは、ＬＴＥネットワーク１１０を使用するコンシューマＵＥ  １０２ｃによる通信を制御するように構成される（例えば、コンシューマＵＥ  １０２ｃによるセルラー通信を一時的に休止する、および同様の操作）。アプリケーション１０３ｃは、そのような機能のさまざまな組合せをサポートするように構成されうることに留意されたい。アプリケーション１０３ｃは、コンシューマＵＥによってサポートされるものとして本明細書に図示され説明されている他のさまざまな機能をサポートするように構成されうることに留意されたい。アプリケーション１０３ｃによって提供されるものとして本明細書に図示され説明されている機能は、コンシューマＵＥ  １０２ｃのアプリケーション１０３ｃに応じて、またはそれと併せてコンシューマＵＥ  １０２ｃによって実現されうることに留意されたい。アプリケーション１０３ｃのこれらの機能および他の機能は、少なくとも図２、３、４、５、および７を参照することでよりよく理解されうる。すべてのコンシューマＵＥ  １０２ｃがアプリケーション１０３ｃを備える一実施形態に関してもっぱら図示され説明されているが、少なくともいくつかの実施形態では、コンシューマＵＥ  １０２ｃのサブセットのみがアプリケーション１０３ｃを備えることに留意されたい。
【００３３】
一般に、コンシューマＵＥ  １０２ｃは、任意の好適な方法でそのような目的に合わせて構成されうる（例えば、コンシューマＵＥ  １０２ｃに組み込まれている機能を介して、コンシューマＵＥ  １０２ｃ上にインストールされている（例えば、プリインストール、ＡＳ  １５０または他の好適な提供元からのダウンロード、および同様のインストールがなされる）１つまたは複数のアプリケーションを介して、および同様の方法で、さらにはこれらのさまざまな組合せで）。
【００３４】
コンシューマＵＥ  １０２ｃは、ネットワーク解析機能のさまざまな他の機能をサポートするように構成されうることに留意されたい。
【００３５】
オペレータＵＥ  １０２ｏは、ワイヤレス・ネットワーク・サービス・プロバイダのネットワーク技術者が使用できるように構成されたワイヤレス・デバイスを備える。
【００３６】
一実施形態において、オペレータＵＥ  １０２ｏの少なくともいくつかは、コンシューマＵＥ  １０２ｃに類似するものとしてよい（ただし、コンシューマ側には用意されないであろうネットワーク運用技術者によって実行される機能をサポートするように異なる方法で構成することができるが）。
【００３７】
一実施形態において、オペレータＵＥ  １０２ｏの少なくともいくつかは、コンシューマ側には用意されないであろうネットワーク運用技術者によって使用される専用デバイスとすることができる。
【００３８】
例えば、オペレータＵＥ  １０２ｏは、検出されるとオペレータＵＥ  １０２ｏがＬＴＥネットワーク１１０に関連するデータの収集を円滑にする１つまたは複数の機能を実行することをトリガする１つまたは複数のイベントが生じていないか監視するように構成されうる。
【００３９】
一実施形態では、例えば、トリガ条件の検出は、オペレータＵＥ  １０２ｏが、ＤＣ  １３０、ＤＣＳ  １４０、およびＳＳ  １６０のうちの１つまたは複数の方へ、ＤＣ  １３０、ＤＣＳ  １４０、およびＳＳ  １６０のうちの１つまたは複数にデータ収集プロセスを開始させる（例えば、ＤＣ  １３０にデータを収集させる、ＤＣＳ  １４０にＤＣ  １３０にデータを収集させるための制御データを生成させる、および同様の動作を行わせる、さらにはこれらのさまざまな組合せを行わせる）ように適合されたデータ収集フィードバック情報を伝搬するトリガとなりうる。
【００４０】
一実施形態において、オペレータＵＥ  １０２ｏのそれぞれは、アプリケーション１０３ｏをそれぞれ備える。一実施形態において、ＵＥ  １０２ｏのアプリケーション１０３ｏは、コンシューマＵＥ  １０２ｃのアプリケーション１０３ｃの機能のうちの少なくとも一部を備える。ＵＥ  １０２ｏのアプリケーション１０３ｏは、ネットワーク・オペレータによって使用されうるさまざまな他の機能（例えば、追加のテスト開始および解析機能、追加のデータ収集および解析制御機能、および同様のもの、さらにはこれらのさまざまな組合せ）を備えうる。アプリケーション１０３ｏのこれらの機能および他の機能は、少なくとも図２および６を参照することでよりよく理解されうる。すべてのオペレータＵＥ  １０２ｏがアプリケーション１０３ｏを備える一実施形態に関してもっぱら図示され説明されているが、少なくともいくつかの実施形態では、オペレータ１０２ｏのサブセットのみがアプリケーション１０３ｏを備えることに留意されたい。
【００４１】
一実施形態では、例えば、トリガ条件の検出は、オペレータＵＥ  １０２ｏがＤＣＳ  １４０、ＡＳ  １５０、およびＳＳ  １６０のうちの１つまたは複数の方へ、オペレータＵＥ  １０２ｏによって収集された、収集データを伝搬するトリガとなりうる。
【００４２】
一実施形態において、オペレータＵＥ  １０２ｏの１つまたは複数は、そのようなデータを収集し、そのようなデータをＤＣＳ  １４０および／またはＳＳ  １６０に供給するように構成されたＤＣ  １３０を備えるように構成されうる。
【００４３】
一実施形態において、オペレータＵＥ  １０２ｏの１つまたは複数は、コンシューマＵＥ  １０２ｃに関して本明細書に図示され説明されているようにアプリケーションを備えるように構成されうる。
【００４４】
一般に、オペレータＵＥ  １０２ｏは、任意の好適な方法でそのような目的に合わせて構成されうる（例えば、オペレータＵＥ  １０２ｏに組み込まれている機能を介して、オペレータＵＥ  １０２ｏ上にインストールされている（例えば、プリインストール、ＡＳ  １５０または他の好適な提供元からのダウンロード、および同様のインストールがなされる）１つまたは複数のアプリケーションを介して、および同様の方法で、さらにはこれらのさまざまな組合せで）。
【００４５】
オペレータＵＥ  １０２ｏは、ネットワーク解析機能のさまざまな他の機能をサポートするように構成されうることに留意されたい。
【００４６】
ＬＴＥネットワーク１１０は、ＵＥ  １０２とＩＮＧ  １２０との間の通信をサポートする（１つまたは複数の関連するＩＰネットワークへのアクセスを提供する）。明確にするため省略されているが、さまざまな非ＬＴＥアクセス・ネットワークが、ＬＴＥネットワーク１１０とインターフェースし、これにより、非ＬＴＥアクセス・ネットワークに関連するＵＥ／ＵＤはＬＴＥネットワーク１１０を利用し、ＩＮＧ  １２０を介してＩＰネットワークにアクセスすることができる。
【００４７】
ＬＴＥネットワーク１１０は、例示的なＬＴＥネットワークである。ＬＴＥネットワークの構成および動作については、当業者であれば理解するであろう。しかし、完全を期すため、本明細書では、ＬＴＥネットワークの一般的特徴について例示的なワイヤレス通信システム１００の文脈内で説明している。
【００４８】
ＬＴＥネットワーク１１０は、ｅＮｏｄｅＢ  １１１、サービング・ゲートウェイ（ＳＧＷ）１１２、パケット・データ・ネットワーク（ＰＤＮ）ゲートウェイ（ＰＧＷ）１１３、ルータ１１４、モビリティ管理エンティティ（ＭＭＥ）１１５、ホーム加入者サーバ（ＨＳＳ）１１６、および認証認可アカウンティング（ＡＡＡ）サーバ１１７を備える。ｅＮｏｄｅＢ  １１は、ＵＥ  １０２用の無線アクセス・インターフェースを備える。ＳＧＷ  １１２、ＰＧＷ  １１３、ルータ１１４、ＭＭＥ  １１５、ＨＳＳ  １１６、およびＡＡＡサーバ１１７（およびオプションとして、明確にするため省略されている他のコンポーネント）は連携して、ＩＰを使用するエンド・ツー・エンド・サービス提供をサポートする発展型パケット・コア（ＥＰＣ）を形成する。ＭＭＥ  １１５、ＨＳＳ  １１６、およびＡＡＡサーバ１１７は連携して、ＬＴＥネットワーク１１０のＥＰＣ内にサービス・コアを形成することができる。
【００４９】
ｅＮｏｄｅＢ  １１１は、ＵＥ  １０２に対する通信をサポートする。例えば、ＵＥ  １０２とｅＮｏｄｅＢ  １１１との間の通信は、ＵＥ  １０２のそれぞれに関連するＬＴＥ−Ｕｕインターフェースを使用してサポートされうる。ｅＮｏｄｅＢ  １１１は、ＵＥ  １０２用のＬＴＥエアー・インターフェースを構成すること、無線リソース管理を実行すること、ＵＥ  １０２とＳＧＷ  １１２との間の通信を円滑にすること、ｅＮｏｄｅＢ  １１１とＳＧＷ  １１２との間でサポートされるＬＴＥ−ＵｕインターフェースとＳ１−ｕインターフェースとの間のマッピングを維持すること、および同様のこと、さらにはこれらのさまざまな組合せなどの、ｅＮｏｄｅＢによってサポートされることに適した任意の機能をサポートすることができる。図１に示されているように、ｅＮｏｄｅＢ  １１１は、ネットワーク解析機能のさまざまな機能をサポートするデータを収集するように構成されたＤＣ  １３０を備えるように構成されうる。単一のｅＮｏｄｅＢが図示されているが、ＬＴＥネットワークは、多くのｅＮｏｄｅＢを備える可能性が高いことに留意されたい。
【００５０】
ＳＧＷ  １１２は、ｅＮｏｄｅＢ  １１１に対する通信をサポートする。例えば、ＳＧＷ  １１２とｅＮｏｄｅＢ  １１１との間の通信は、ハンドオーバー中のパー・ベアラー・ユーザー・プレーン・トンネリング（ｐｅｒ−ｂｅａｒｅｒ  ｕｓｅｒ  ｐｌａｎｅ  ｔｕｎｎｅｌｉｎｇ）およびｅＮｏｄｅＢ間経路スイッチング（ｉｎｔｅｒ−ｅＮｏｄｅＢ  ｐａｔｈ  ｓｗｉｔｃｈｉｎｇ）をサポートすることができ、また好適な任意のプロトコル、例えば、ＧＰＲＳトンネリング・プロトコル−ユーザー・プレース（Ｔｕｎｎｅｌｉｎｇ  Ｐｒｏｔｏｃｏｌ  −  Ｕｓｅｒ  Ｐｌａｃｅ）（ＧＴＰ−Ｕ）を使用することができるＳ１−ｕインターフェースを使用してサポートされうる。ＳＧＷ  １１２は、ユーザー・データ・パケットのルーティングおよびフォワーディング（例えば、ｅＮｏｄｅＢ  １１１とＰＧＷ  １１３との間の通信を円滑にする、ＳＧＷ  １１２とＰＧＷ  １１３との間でサポートされるＳ１−ｕインターフェースとＳ５／Ｓ８インターフェースとの間のマッピングを維持する、および同様の動作）、ｅＮｏｄｅＢのハンドオーバー中にＵＥに対するモビリティ・アンカーとして機能する、ＬＴＥと他の３ＧＰＰ技術との間のモビリティ・アンカーとして機能する、および同様の動作、さらにはこれらのさまざまな組合せなどの、ＳＧＷによってサポートされることに適した任意の機能をサポートすることができる。図１に示されているように、ＳＧＷ  １１２は、ネットワーク解析機能のさまざまな機能をサポートするデータを収集するように構成されたＤＣ  １３０を備えるように構成されうる。単一のＳＧＷが、単一のｅＮｏｄｅＢをサポートするように示されているが、ＳＧＷは、複数のｅＮｏｄｅＢをサポートすることが可能であること、さらに、ＬＴＥネットワークが複数のＳＧＷを備えることが可能であることに留意されたい。
【００５１】
ＰＧＷ  １１３は、ＳＧＷ  １１２に対する通信をサポートする。例えば、ＰＧＷ  １１３とＳＧＷ  １１２との間の通信は、Ｓ５／Ｓ８インターフェースを使用してサポートされうる。一般に、Ｓ５インターフェースは、ＰＧＷ  １１３とＳＧＷ  １１２との間の通信に対するユーザー・プレーン・トンネリングおよびトンネル管理、ＵＥモビリティによるＳＧＷのリロケーション、および同様のものなどの機能を備える。一般に、公衆陸上移動体ネットワーク（ＰＬＭＮ）におけるＳ５インターフェースの一変種でありうる、Ｓ８インターフェースは、ビジターＰＬＭＮ（ＶＰＬＭＮ）内のＳＧＷとホームＰＬＭＮ（ＨＰＬＭＮ）内のＰＧＷとの間のユーザおよび制御プレーン接続性をもたらすＰＬＭＮ間インターフェースを実現する。Ｓ５／Ｓ８インターフェースは、好適なプロトコル（例えば、ＧＰＲＳトンネリング・プロトコル（ＧＴＰ）、モバイル・プロキシＩＰ（ＭＰＩＰ）、および同様のもの、さらにはこれらの組合せ）を利用することができる。ＰＧＷ  １１３は、ＳＧｉインターフェースを介してＬＴＥネットワーク１１０とＩＮＧ  １２０との間の通信を円滑にする。ＰＧＷ  １１３は、パケット・フィルタリングを行うこと、ポリシー強制を行うこと、３ＧＰＰと非３ＧＰＰ技術との間のモビリティ・アンカーとして機能すること、および同様の動作、さらにはこれらの組合せなどの、ＰＧＷによってサポートされることに適している任意の機能をサポートすることができる。図１に示されているように、ＰＧＷ  １１３は、ネットワーク解析機能のさまざまな機能をサポートするデータを収集するように構成されたＤＣ  １３０を備えるように構成されうる。単一のＰＧＷが、単一のＳＧＷをサポートするように示されているが、ＰＧＷは、複数のＳＧＷをサポートすることが可能であること、さらに、ＬＴＥネットワークが複数のＰＧＷを備えることが可能であることに留意されたい。
【００５２】
ルータ１１４は、ＬＴＥネットワーク１１０の要素の間（例えば、ＰＧＷ  １１１とＡＡＳサーバ１１７との間）、ＬＴＥネットワーク１１０（例えば、ＰＧＷ  １１３）とＩＮＧ  ２００との間、ＬＴＥネットワーク１１０（例えば、ＰＧＷ  １１３）とＤＣＳ  １４０との間、ＬＴＥネットワーク１１０（例えば、ＰＧＷ  １１３）とＡＳ  １５０との間のトラヒックのルーティング、および同様のトラヒックのルーティング、さらにはこれらのさまざまな組合せを円滑にするように構成されうる。明確にするため省略されているが、さまざまな他のルータが（例えば、ＳＧＷ  １１２内に入るバックホール、ＳＧＷ  １１２、ＰＧＷ  １１３、および／またはＬＴＥネットワーク１１０内のトラヒックのルーティングを円滑にするのに適した他の任意のロケーション内に）配備されうることは理解されるであろう。
【００５３】
ＭＭＥ  １１４は、ＵＥ  １０２のモビリティをサポートするモビリティ管理機能を備える。ＭＭＥ  １１４は、ｅＮｏｄｅＢ  １１１（さらには明確にするために省略されている他のｅＮｏｄｅＢも）をサポートする。ＭＭＥ  １１４とｅＮｏｄｅＢ  １１１との間の通信は、ＭＭＥ  １１４とｅＮｏｄｅＢ  １１１との間の通信用の制御プレーン・プロトコルを備える、Ｓ１−ＭＭＥインターフェースを使用してサポートされうる。Ｓ１−ＭＭＥインターフェースは、任意の好適なプロトコルまたはプロトコルの組合せを使用することができる。例えば、Ｓ１−ＭＭＥインターフェースでは、トランスポート用にストリーム制御伝送プロトコル（ＳＣＴＰ）を使用しながら無線アクセス・ネットワーク・アプリケーション・パート（ｅＲＡＮＡＰ）プロトコルを使用することができる。ＭＭＥ  １１４は、ＳＧＷ  １１２をサポートする。ＭＭＥ  １１４とＳＧＷ  １１２との間の通信は、Ｓ１１インターフェースを使用してサポートされうる。ＭＭＥ  １１４は、ＵＥによる初期接続時およびＬＴＥ内ハンドオーバー時にＵＥに対してＳＧＷを選択すること、アイドル・モードのＵＥ追跡およびページング手順を備えること、ベアラー・アクティブ化／非アクティブ化プロセス、非アクセス層（ＮＡＳ）シグナリングに対するサポートを提供すること（例えば、ＮＡＳシグナリングの終了、ＮＡＳシグナリングに対する暗号化／完全性保護、および同様のこと）、シグナリングの合法的な傍受、および同様のこと、さらにはこれらの組合せなどの、ＭＭＥによってサポートされることに適している任意の機能をサポートすることができる。ＭＭＥ  １１４は、ユーザを認証するためにＳ６ａインターフェースを使用してＨＳＳ  １１６と通信することもできる。
【００５４】
ＨＳＳ  １１６は、ＬＴＥネットワークにおいてＨＳＳによって典型的にサポートされる機能を備えるように構成される。例えば、ＨＳＳ  １１６は、加入者関係情報（例えば、ＵＥ  １０２のユーザに関連する加入者プロファイル）を維持し、ユーザ認証および／または認可機能、追跡を実行し、加入者関係情報（例えば、加入者位置、ＩＰアドレス情報、および同様のもの）を提供し、および同様の操作を行うことができる。ＬＴＥネットワーク１１０内のそのような機能の典型的な使用については、当業者であれば理解するであろう。
【００５５】
ＡＡＡサーバ１１７は、認証、認可、アカウンティング、および同様の機能などの、ＡＡＡサーバによって典型的にサポートされる機能を備えるように構成される。例えば、認証は、エンティティの識別の認証を含みうる（例えば、資格証明書を使用する）。例えば、認可は、特定のエンティティが与えられた活動を実行することを認可される（例えば、さまざまな制約および関連する規則の下で）かどうかを判定することを含みうる。例えば、アカウンティングは、イベント追跡、ネットワーク・リソースの消費の追跡、および同様の動作を含みうる。ＬＴＥネットワーク１１０内のそのような機能の典型的な使用については、当業者であれば理解するであろう。
【００５６】
ＩＮＧ  １２０は、ＬＴＥネットワーク１１０から１つまたは複数のＩＰネットワーク（明確にするために省略されている）へのゲートウェイとして動作するように構成される。ＬＴＥネットワーク１１０およびＩＮＧ  １２０を介してアクセス可能なＩＰネットワークは、１つまたは複数のパケット・データ・ネットワークを含み、このネットワークを介して、ＵＥ  １０２は、コンテンツ、サービス、および同様のものにアクセスすることができる。例えば、ＬＴＥネットワーク１１０およびＩＮＧ  １２０を介してアクセス可能なＩＰネットワーク（複数可）は、公衆ＩＰネットワーク（例えば、インターネット）、ＷＮＳＰのＩＰコア・ネットワーク、１つまたは複数の他のＩＰネットワーク（例えば、ＩＰマルチメディア・サブシステム（ＩＭＳ）ネットワーク、および同様のネットワーク）、および同様のネットワーク、さらにはこれらのさまざまな組合せを含みうる。ＩＰネットワークへのアクセスは、ｅＮｏｄｅＢ  １１１を介してＬＴＥネットワーク  １１０にアクセスするＵＥ  １０２、ＬＴＥネットワーク１１０がインターフェースすることができる１つまたは複数の非ＬＴＥネットワーク（例えば、３ＧＰＰアクセス・ネットワーク、非３ＧＰＰアクセス・ネットワーク、および同様のネットワーク）に関連付けられているＵＥに対して提供されうる。図１に示されているように、ＩＮＧ  １２０は、ネットワーク解析機能のさまざまな機能をサポートするデータを収集するように構成されたＤＣ  １３０を備えるように構成されうる。
【００５７】
図１に示されているように、多数の異なるタイプのトラヒックが、例示的なワイヤレス通信システム１００内で伝搬しうる。例えば、ベアラおよびテスト・トラヒック、ネットワーク制御トラヒック、ＤＣ制御トラヒック、および同様のトラヒック、さらにはこれらのさまざまな組合せは、例示的なワイヤレス通信システム１００の要素のさまざまな組合せの間で交換することができる。
【００５８】
図１に示されているように、ベアラ・トラヒックは、ＵＥ  １０２とＩＮＧ  １２０との間の経路にそって送信されうるが、経路には、ｅＮｏｄｅＢ  １１１、ＳＧＷ  １１２、ＰＧＷ  １１３、およびルータ１１４が置かれる。同様に、図１に示されているように、テスト・トラヒックは、ＵＥ  １０２とＡＳ  １５０との間の経路にそって送信されうるが、経路には、ｅＮｏｄｅＢ  １１１、ＳＧＷ  １１２、ＰＧＷ  １１３、およびルータ１１４が置かれる。ベアラおよびテスト・トラヒックのフローは、図１にマークされている。
【００５９】
与えられたＵＥ  １０２についてベアラ・トラヒックが流れる経路は、本明細書では、ネットワーク・データ経路と称されるか、またはより一般的に、ネットワーク経路と称されうることに留意されたい。
【００６０】
例えば、それぞれのＵＥ  １０２は、ｅＮｏｄｅＢ  １１１、ＳＧＷ  １１２、ＰＧＷ  １１３、ルータ１１４、およびＩＮＧ  １２０を含むネットワーク・データ経路にそって通信するように構成され、これらはそれぞれ、その上に構成されるかまたはそれに関連付けられたＤＣ  １３０を有する。ＤＣ  １３０を、ＵＥ  １０２が通信している際に経由する、または通信する際に経由できるネットワーク・データ経路上にある要素のそれぞれに配置することで、ネットワーク・データ経路上にある要素からデータを収集することが可能になる。単一のネットワーク・データ経路に関してもっぱら図示され説明されているが、異なるＵＥ  １０２は、異なるネットワーク・データ経路にそって通信することができることに留意されたい（例えば、ＵＥ  １０２が異なるｅＮｏｄｅＢもしくは他のアクセス・デバイスを介してＬＴＥネットワーク１１０にアクセスする場合、異なるＳＧＷがＵＥ  １０２がＬＴＥネットワーク１１０にアクセスする際に経由するｅＮｏｄｅＢの異なる集合をサポートする場合、負荷分散および／または他のトラヒック制御機能が使用される場合、および同様の場合、さらにはこれらのさまざまな組合せ）。
【００６１】
図１に示されているように、ネットワーク制御トラヒックは、サービス・コア内で、またサービス・コアとサービス・コアの一部を形成しない他の要素との間で交換されうる。例えば、ネットワーク制御トラヒックは、ｅＮｏｄｅＢ  １１１とＭＭＥ  １１５との間、ＭＭＥ  １１５とＨＳＳ  １１６との間、ＨＳＳとＡＡＡサーバ１１７との間、およびＡＡＡサーバとＰＧＷ  １１３との間で交換されうる。図１に示されているネットワーク制御トラヒック経路は、例示的なものにすぎず、ネットワーク制御経路の他のさまざまな組合せもサポートされうることに留意されたい。ネットワーク制御トラヒック・フローは、図１にマークされている。
【００６２】
図１に示されているように、ＤＣ制御トラヒックは、本明細書で図示され説明されているさまざまな実施形態に従ってデータ収集に関わりうる例示的なワイヤレス通信システム１００のさまざまな要素間で交換されうる。
【００６３】
一実施形態において、ＤＣＳ  １４０は、ＤＣ制御トラヒックを例示的なワイヤレス通信システム１００の要素のどれかのＤＣ  １３０のうちのどれかと交換することができる（例えば、コンシューマＵＥ  １０２ｃ、オペレータＵＥ  １０２ｏ、ｅＮｏｄｅＢ  １１１、ＳＧＷ  １１２、ＰＧＷ  １１３、ルータ１１４、ＩＮＧ  １２０、ＡＳ  １５０、および同様のもの）。
【００６４】
一実施形態において、図１に示されているように、ＤＣ制御トラヒックは、ルータ１１４およびネットワーク・データ経路を介して線形的にＤＣＳ  １４０とＤＣ  １３０のそれぞれとの間で交換される（ＡＳ  １５０に関連するＤＣ  １３０を除く）。例えば、コンシューマＵＥ  １０２ｃによって送信され、ＤＣＳ  １４０に向けられるＤＣ制御トラヒックは、ＵＥ  １０２ｃからｅＮｏｄｅＢ  １１１、ＳＧＷ  １１２、ＰＧＷ  １１３、ルータ１１４、ＤＣＳ  １４０への経路を横断する。同様に、例えば、ＳＧＷ  １１２によって送信され、ＤＣＳ  １４０に向けられるＤＣ制御トラヒックは、ＳＧＷ  １１２からＰＧＷ  １１３、ルータ１１４、ＤＣＳ  １４０への経路を横断する。
【００６５】
ＤＣ制御トラヒックは、ルータ１１４およびネットワーク・データ経路を介して線形的にＤＣＳ  １４０とＤＣ  １３０のそれぞれとの間でルーティングされるように図示されているが（ＡＳ  １５０に関連するＤＣ  １３０を除く）、ＤＣ制御トラヒックは、他の好適な方法でＤＣＳ  １４０とＤＣ  １３０のうちの１つまたは複数との間で交換されうることに留意されたい。例えば、ＤＣＳ  １４０およびＤＣ  １３０のうちのどれかは、ＤＣＳ  １４０とＤＣ  １３０のうちのどれかとの間でサポートされうる他の好適な通信経路を介してＤＣ制御トラヒックを交換することができる。
【００６６】
一実施形態において、図１に示されているように、ＤＣ制御トラヒックは、ルータ１１４を介してＤＣＳ  １４０とＡＳ  １５０との間で交換される。ＤＣ制御トラヒックは、ルータ１１４を介してＤＣＳ  １４０とＡＳ  １５０との間でルーティングされるものとして図示されているが、ＤＣ制御トラヒックは、他の好適な方法で、ＤＣＳ  １４０とＡＳ  １５０との間で交換されうることに留意されたい。例えば、ＤＣＳ  １４０およびＡＳ  １５０は、ＤＣＳ  １４０とＡＳ  １５０との間でサポートされうる他の好適な通信経路を介してＤＣ制御トラヒックを交換することができる。
【００６７】
一実施形態において、ＤＣＳ  １４０は、ＳＳ  １６０とＤＣ制御トラヒックを交換することができる。一実施形態において、図１に示されているように、ＤＣ制御トラヒックは、ＬＴＥネットワーク１１０を横断しない通信経路を介してＤＣＳ  １４０とＳＳ  １６０との間で交換される。
【００６８】
ＤＣ制御トラヒックは、データの収集をサポートすることに関連する任意のタイプのトラヒックを含みうる。例えば、ＤＣ制御トラヒックは、ＵＥ  １０２からＤＣＳ  １４０に送られるデータ収集フィードバック情報、１つまたは複数のＤＣ  １３０によるデータの収集を制御するためＤＣＳ  １４０によって生成され、１つまたは複数のＤＣ  １３０に伝搬されるデータ収集制御情報、ＤＣ  １３０によって収集され、ＤＣＳ  １４０および／またはＳＳ  １６０に送られるデータ、および同様の情報、さらにはこれらのさまざまな組合せを含むものとしてよい。ＤＣ  １３０は、ＤＣＳ  １４０（および、オプションにより、１つまたは複数の他のシステム）に供給されるデータを収集するように構成される。
【００６９】
ＤＣ  １３０は、ＤＣＳ  １４０からＤＣ  １３０で受信されたデータ収集制御情報に応答してデータを収集するように構成されうる。
【００７０】
ＤＣ  １３０は、ＤＣＳ  １４０からＤＣ  １３０で受信されたデータ収集制御情報に無関係にデータを収集するように構成することもできる。この場合、ＤＣ  １３０は、ＤＣＳ  １４０による制御と無関係にデータを収集することができ、ＤＣＳ  １４０からデータ収集制御情報を受信すると、これがトリガとなって、ＤＣ  １３０はすでに収集されているデータをＤＣＳ  １４０に供給する。
【００７１】
ＤＣ  １３０は、収集されているデータをローカルに格納するように構成される。ＤＣ  １３０は、好適なデータ記憶機構をローカルで使用して収集されたデータを格納することができる。一実施形態において、ＤＣ  １３０は、データをバッファリングすることによって（例えば、環状バッファおよび／または他の好適なタイプのバッファを使用して）データを格納することができる。
【００７２】
ＤＣ  １３０は、収集されたデータを処理のため１つまたは複数の他のネットワーク要素（例えば、ＤＣＳ  １４０、ＳＳ  １６０、および同様のもの、さらにはこれらのさまざまな組合せ）に供給するように構成される。
【００７３】
ＤＣ  １３０は、ＤＣ  １３０が実装されているネットワーク要素のタイプ（複数可）に依存しうる、好適なタイプのデータを収集することができる。例えば、ＵＥ  １０２、ｅＮｏｄｅＢ  １１１、ＳＧＷ  １１２、ＰＧＷ  １１３、ＩＮＧ  １３０、およびＡＳ  １５０上の収集されたデータの少なくとも一部は、これらの異なるデバイス上で異なっていてもよい。一実施形態において、ＤＣ  １３０は、ネットワーク経路にそってデータを収集する（例えば、ＵＥ  １０２とＩＮＧ  １２０との間のネットワーク経路にそってベアラ・トラヒックを収集する）ためネットワークＩＰパケット・モニターとして動作するように構成されうる。
【００７４】
一実施形態において、ＤＣ  １３０は、収集されているデータにタイムスタンプを付加するように構成される。タイムスタンプ情報は、ＤＣＳ  １４０からのデータ要求に応答してＤＣ  １３０によってローカルで使用され、タイムスタンプを付加された収集されたデータとともにＤＣＳ  １４０に供給され、および同様の処理をされ、さらにはこれらのさまざまな組合せの処理をされる。
【００７５】
ＤＣ  １３０が受動的にデータを収集する実施形態に関して本明細書にもっぱら図示され説明されているが、１つまたは複数のＤＣ  １３０は、データの収集をトリガするためのさまざまな機能を実行するように構成されうることに留意されたい。一実施形態において、例えば、１つまたは複数のＤＣ  １３０は、例示的なワイヤレス通信システム１００内でテストを開始するように構成されうる。例えば、ＵＥ  １０２に関連するＤＣ  １３０は、テスト・パケットを開始して、関連するテスト結果を収集することができる。例えば、ＡＳ  １５０に関連するＤＣ  １３０は、テスト・パケットを開始して、関連するテスト結果を収集することができる。ＤＣ  １３０は、ＤＣ  １３０によるローカルおよび／またはリモートのデータ収集を円滑にすることができるさまざまな他のタイプの活動を開始するように構成されうる。
【００７６】
ＤＣ  １３０がＤＣＳ  １４０によって制御される実施形態に関して本明細書にもっぱら図示され説明されているが、ＤＣ  １３０の１つまたは複数も、例示的なワイヤレス通信システム１００の１つまたは複数の他の要素によって制御されうることに留意されたい。一実施形態において、コンシューマＵＥ  １０２ｃ上で利用可能なＤＣ  １３０は、それぞれ、コンシューマＵＥ  １０２ｃによって制御可能である。一実施形態において、オペレータＵＥ  １０２ｏ上で利用可能なＤＣ  １３０は、それぞれ、オペレータＵＥ  １０２ｏによって制御可能である。一実施形態において、ＬＴＥネットワーク１１０の１つまたは複数の要素上で利用可能なＤＣ  １３０は、コンシューマＵＥ  １０２ｃおよび／またはオペレータＵＥ  １０２ｏによって制御可能である。
【００７７】
本明細書で説明されているように、ＤＣ  １３０は、任意の好適な方法で例示的なワイヤレス通信システム１００の与えられた要素上に設けられうる。例えば、ＤＣ  １３０は、任意の好適な時点において例示的なワイヤレス通信システム１００の与えられた要素上に設けられうる。例えば、ＤＣ  １３０は、要素の配備前、要素の配備後（例えば、データの収集専用にメモリを割り当てるための要素の構成を介して、または他の好適な方法で）、および同様のタイミングで、さらにはこれらの組合せで、例示的なワイヤレス通信システム１００の与えられた要素上に設けられうる。
【００７８】
ＤＣ  １３０が例示的なワイヤレス通信システム１００の特定の要素上に構成されている実施形態に関して本明細書にもっぱら図示され説明されているが、ＤＣ  １３０は、例示的なワイヤレス通信システム１００の任意の１つまたは複数の要素上に構成されうることに留意されたい。
【００７９】
同様に、ＤＣ  １３０がその上に構成されている例示的なワイヤレス通信システム１００のそれぞれの要素がその上に構成されている単一のＤＣ  １３０のみを有する実施形態に関して本明細書にもっぱら図示され説明されているが、複数のＤＣ  １３０は、例示的なワイヤレス通信システム１００の要素のうちの１つまたは複数上に構成されうることに留意されたい。少なくともいくつかのこのような実施形態において、例示的なワイヤレス通信システム１００の要素の複数のＤＣ  １３０は、異なる目的専用に割り当てられうる（例えば、収集される異なるタイプのデータ専用、例示的なワイヤレス通信システム１００によってサポートされている異なるサーバ専用、および同様の目的専用、さらにはこれらの組合せ専用）。
【００８０】
同様に、ＤＣ  １３０が例示的なワイヤレス通信システム１００の既存の要素上に実装されている実施形態に関して本明細書にもっぱら図示され説明されているが、少なくともいくつかの実施形態において、ＤＣ  １３０の少なくとも一部は、スタンドアロンの要素として設けられうる（例えば、例示的なワイヤレス通信システム１００の既存の要素と通信するようにして、例示的なワイヤレス通信システム１００の既存の要素間の通信経路内に配設されて、および同様の形態で、さらにはこれらの組合せの形態で）。
【００８１】
ＤＣＳ  １４０は、さまざまなデータ収集制御機能を備えるように構成される。ＤＣＳ  １４０は、ＤＣ  １３０によるデータの収集を構成する際にＤＣＳ  １４０による使用に適合されたデータ収集フィードバック情報を受信するように構成される。ＤＣＳ  １４０は、データ収集フィードバック情報に基づき、データの収集を決定する際にＤＣ  １３０による使用に適合されたデータ収集制御情報を生成するように構成される。ＤＣＳ  １４０は、データを収集するようにＤＣ  １３０に命令するために適切なＤＣ  １３０にデータ収集制御情報を伝搬するように構成される。
【００８２】
データ収集フィードバック情報は、データがＤＣ  １３０によって収集される仕方を決定する際のＤＣＳ  １４０による使用に適した情報を含むことができる。データ収集フィードバック情報は、そのような情報の好適な供給元（複数可）（例えば、コンシューマＵＥ  １０２ｃ、オペレータＵＥ  １０２ｏ、ＬＴＥネットワーク１１０の要素、ＡＳ  １５０、ＳＳ  １６０、図示されていない他のネットワーク要素および／または管理システム、および同様のもの、さらにはこれらのさまざまな組合せ）から受信することができる。ＤＣＳ  １４０から受信されるデータ収集フィードバック情報のタイプは、データ収集フィードバック情報の供給源に応じて変わりうる。
【００８３】
一実施形態において、例えば、データ収集フィードバック情報は、デバイス情報を含むことができる（例えば、デバイスのタイプ、デバイスが構成される仕方を示す情報、デバイスによってサポートされている機能を示す情報、および同様の情報、さらにはこれらのさまざまな組合せ）。例えば、データ収集フィードバック情報は、フィードバックの発信元がＵＥ  １０２、ｅＮｏｄｅＢ  １１１、ＳＧＷ  １１２、および同様のものかどうかを示しうる。例えば、ＵＥ  １０２から受信したデータ収集フィードバック情報は、ＵＥ  １０２のデバイスのタイプ、ＵＥ  １０２に関するデバイス製造元およびモデル情報、ＵＥ  １０２の機能、および同様のものを示しうる。
【００８４】
一実施形態において、データ収集フィードバック情報は、例示的なワイヤレス通信システム１００の要素から受信されたエラー・トラップ・メッセージを含む。ＤＣＳ  １４０は、エラー・トラップ・メッセージがないか監視するように構成されうる。
【００８５】
一実施形態において、データ収集フィードバック情報は、ＵＥ  １０２から受信したトリガ情報を含む。一実施形態において、ＵＥ  １０２から受信したトリガ情報は、ＵＥ  １０２の識別子、ＵＥ  １０２に関連する位置情報、および同様のもの、さらにはこれらのさまざまな組合せを含む。
【００８６】
一実施形態において、データ収集フィードバック情報は、ＤＣ  １３０のうちの１つまたは複数によって収集されるデータを含む。例えば、ＤＣ  １３０のうちの１つまたは複数によって収集されるデータは、ＤＣ  １３０のうちの１つまたは複数（例えば、同じＤＣ  １３０のうちの１つまたは複数、１つまたは複数の異なるＤＣ  １３０、および同様のもの）から他のデータが収集されるべきであることを示しうる。この場合、ＤＣＳ  １４０は、データ収集制御情報を生成し、データを収集するようにＤＣ  １３０に命令するために１つまたは複数のＤＣ  １３０にデータ収集制御情報を伝搬することができる。
【００８７】
データ収集フィードバック情報は、データを収集するようＤＣ  １３０に命令するためにＤＣＳ  １４０によって使用されうる他の好適なタイプの情報を含むことができる。
【００８８】
そのようなデータ収集フィードバック情報のさまざまな組合せは、ＤＣＳ  １４０によって受信され、ＤＣ  １３０によるデータ収集を制御するためにＤＣＳ  １４０によって使用されうることに留意されたい。
【００８９】
ＤＣＳ  １４０は、好適な時刻に収集データを受信することができる。例えば、ＤＣＳ  １４０は、好適な時刻に（例えば、定期的に、１つまたは複数のトリガ条件に応答して、いくつかの収集されたデータが必要であるか、または望ましいとの判定に応答して、および同様のタイミングで、さらにはこれらのまだまだ組合せのタイミングで）、収集データがないかＤＣ  １３０に問い合わせることができる。
【００９０】
データ収集制御情報は、ＤＣ  １３０によるデータの収集を制御する際の使用に適合された任意の情報を含むことができる。
【００９１】
一実施形態では、例えば、データ収集制御情報は、収集されるデータのタイプを識別することができる。例えば、データ収集制御情報は、特定のＵＥ  １０２のベアラ・トラヒックの収集、ＵＥ  １０２（例えば、特定のサービスを使用するＵＥ  １０２、与えられたデバイス・タイプおよびバージョン番号のＵＥ、および同様のもの）のグループのベアラ・トラヒックの収集、ＵＥ  １０２またはＵＥ  １０２のグループに関連する制御トラヒックの収集、特定のインターフェースまたはインターフェースのグループに関連する制御トラヒックの収集、特定のＵＥ  １０２またはＵＥ  １０２のグループに関連するテスト・トラヒック、および同様のもの、さらにはこれらのさまざまな組合せのうちの１つまたは複数を指定することができる。
【００９２】
一実施形態では、例えば、データ収集制御情報は、データの収集に関連する時間関係パラメータ（例えば、データ収集が開始および／または終了すべき時刻、データが収集されるべき時間の長さ、および同様のもの）を示しうる。
【００９３】
一実施形態では、例えば、データ収集制御情報は、収集されるデータの量を指示することができる。
【００９４】
データ収集制御情報は、データ収集のさまざまな態様を制御するためのそのような情報のさまざまな組合せを含みうる（例えば、粒度、タイプ、量、および同様のもの、さらにはこれらのさまざまな組合せ）。
【００９５】
データ制御情報は、すでに収集されているデータがＤＣＳ  １４０に提供されるべきであることを指定することができる（例えば、特定の時点において収集された特定のデータ、最近２４時間以内に特定のＵＥ  １０２またはＵＥ  １２０のグループに対して収集されたすべてのデータ、および同様のもの）。
【００９６】
一実施形態では、例えば、データ収集制御情報は、例示的なワイヤレス通信システム１００の１つまたは複数の要素（例えば、ＵＥ  １０２、ＡＳ  １５０、および／または他の好適な要素）によるテスト・ストリームの開始をトリガするように構成されうる。これは、これらの要素からＤＣ  １４０に提供される結果のタイプを示す情報を含むこともできる。このタイプのデータ収集制御情報は、これらの要素の関連するＤＣ  １３０を介して、および／または他の好適な方法で、提供されうる。
【００９７】
ＤＣＳ  １４０は、データ収集フィードバック情報および／またはデータ収集制御情報を優先順位付けするように構成されうる。例えば、ＤＣＳ  １４０は、データ収集フィードバック情報に基づき関連するデータ収集制御情報が生成され、ＤＣ  １３０に送られる順序を制御するためにデータ収集フィードバック情報を優先順位付けするように構成されうる。例えば、ＤＣＳ  １４０は、ＤＣ  １３０によるデータ収集を最適化することを目的としてデータ収集制御情報を（例えば、データの収集を引き起こす条件の重要度および／またはトリガに基づき、データが収集される時刻に基づき、および同様の条件に基づき）優先順位付けするように構成されうる。
【００９８】
ＤＣＳ  １４０は、さまざまな機能を実現するため収集データを処理するように構成されうる。例えば、ＤＣＳ  １４０は、インテリジェンス機能を収集データに適用して、イベントを識別する、イベントの位置（例えば、ネットワーク上の位置、地理的位置、および同様のもの）を決定する、さらなる解析を実行するために（例えば、ＤＣＳ  １４０、ＳＳ  １６０、および／または他の好適な要素のうちの１つまたは複数によるさらなる解析のために）追加のデータが収集される必要があるかどうかを決定する、ネットワーク性能を決定する、ネットワーク性能劣化を引き起こすデバイスを識別する、および同様のことを行う、さらにはこれらのさまざまな組合せを行うように構成されうる。例えば、ＤＣＳ  １４０は、ＳＳ  １６０に送られる前に収集データの前処理を行うことを目的として収集データを処理するように構成されうる（例えば、収集データを整理する、収集データを優先順位付けする、収集データをフォーマットする、および同様の処理を行う、さらにはこれらのさまざまな組合せの処理を行う）。
【００９９】
ＤＣＳ  １４０は、情報をＳＳ  １６０に供給するように構成されうる。情報は、ＤＣ  １３０によって収集され、ＤＣＳ  １４０で受信された生データ、ＳＳ  １６０に送る前にＤＣＳ  １４０によって処理された収集データを含む処理データ、ＤＣ  １３０からＤＣＳ  １４０で受信された収集データの処理に基づきＤＣＳ  １４０によって決定された解析情報、および同様の情報、さらにはこれらのさまざまな組合せのうちの１つまたは複数を含みうる。本明細書で説明されているように、ＳＳ  １６０は、さまざまな管理機能（例えば、問題識別解析、根本原因解析、問題解決解析、ネットワーク性能監視、および同様の機能、さらにはこれらのさまざまな組合せ）を行うためにＤＣＳ  １４０から受信されたそのような情報を処理することができる。
【０１００】
一実施形態において、ＤＣＳ  １４０は、ＤＣＳ  １４０によって実行されるものとして本明細書に図示され説明されている機能のうちの１つまたは複数を提供することを目的としてビジネス・インテリジェンス機能を備えるように構成される。
【０１０１】
一実施形態において、ＤＣＳ  １４０は、ユーザ制御機能と関連するロジックとの組合せに基づきデータ収集要求条件を予想するように構成される。ＤＣＳ  １４０は、ＤＣＳ  １４０の制御の下で収集された履歴データの解析、および同様のものに基づき、未定義済み規則および／またはビジネス・ロジックを使用して、データ収集要求条件を予想するように構成されうる。
【０１０２】
一実施形態において、ＤＣＳ  １４０は、単一のイベント（例えば、単独で、重要でない異常であってもよい）と追加の監視を伴いうる複数のイベントとを区別するように構成される。一実施形態において、ＤＣＳ  １４０は、ＵＥ  １０２によって報告される重要でないイベントと重要なイベントとを区別するように構成される。少なくともいくつかのそのような実施形態において、ＤＣＳ  １４０は、さまざまなトラップ閾値のユーザ定義パラメータおよび受信イベントを優先順位付けするためのロジックをサポートするように構成される（例えば、トリガされる関連するトラップ）。
【０１０３】
一実施形態において、ＤＣＳ  １４０は、性能劣化または障害を生じているネットワーク要素、および性能劣化または障害の発生理由を検出するように構成される。このような一実施形態では、例えば、ＤＣＳ  １４０は、ネットワーク要素がアクセスの負荷またはトラヒックの過負荷により性能劣化もしくは障害を生じているかどうかを判定するように構成されている。例えば、ネットワークの容量が大きいが、大量のアクセス要求があったためあるノードで過負荷を生じた場合、ＤＣＳ  １４０は、そのノードに影響を及ぼした特定のアクセス・デバイスもしくはアプリケーションを検出し、それについて報告する。この場合、ＤＣＳ  １４０は、アクセスのロバスト性を維持するため、その１つもしくは複数のデバイスのアクセスを制限し、および／またはその１つもしくは複数のデバイス（および／またはその１つもしくは複数のデバイスによって使用されている特定のアプリケーションおよび／またはサービス）を休止することを推奨することができる。ＤＣＳ  １４０は、大量のトラヒックを発生する１つもしくは複数のデバイスに対する（および／またはその１つもしくは複数のデバイスによって使用されている特定のアプリケーションおよび／またはサービスの）類似の機能を備えるように構成することもできる。同様に、この場合、ＤＣＳ  １４０は、データを大量に使用するユーザを制限することでそのノードへのアクセスを改善し位置情報処理能力を改善するため、その１つもしくは複数のデバイスのアクセスを制限し、および／またはその１つもしくは複数のデバイス（および／またはその１つもしくは複数のデバイスによって使用されている特定のアプリケーションおよび／またはサービス）を休止することを推奨することができる。
【０１０４】
ＤＣＳ  １４０は、本明細書に図示され説明されているような他のさまざまな機能を実現するように構成されうる。
【０１０５】
ＳＳ  １６０は、例示的なワイヤレス通信システム１００のさまざまな部分に対する（例えば、ＬＴＥネットワーク１１０、ＤＣＳ  １４０、ＡＳ  １５０、および同様のもの、さらにはこれらのさまざまな組合せに対する）制御および／または管理機能をサポートするように構成される。
【０１０６】
ＳＳ  １６０は、さまざまな管理および関係する機能を実現する際に使用する情報をＤＣＳ  １４０から受信するように構成される。例えば、情報は、収集データ、収集データを前処理したデータ、ＤＣＳ  １４０によって実行された解析の結果、および同様のもの、さらにはこれらのさまざまな組合せを含みうる。
【０１０７】
一実施形態において、ＳＳ  １６０は、ＤＣＳ  １４０から受信した情報の長期記憶を行うように構成される。例えば、ＳＳ  １６０は、ＤＣＳ  １４０から受信した情報を格納するためのデータベースを維持することができる。ＳＳ  １６０は、他のタイプの情報の長期記憶を行うようにも構成されうる。
【０１０８】
一実施形態において、ＳＳ  １６０は、ＤＣＳ  １４０から受信した情報を処理するように構成される。例えば、ＳＳ  １６０は、さまざまな管理および関係機能を実行する際に使用する情報を処理することができる。例えば、ＳＳ  １６０は、ビジネス・インテリジェンス機能を施すように構成されうる。例えば、ＳＳ  １６０は、複数のサービスからのデータの相関を求めるように構成されうる（例えば、ＰＣＭＤデータ照合、呼トレース情報、ログ・ファイル照合、および同様のもの）。例えば、ＳＳ  １６０は、ＤＣＳ  １４０から受信した情報を優先順位付けするように構成されうる。例えば、ＳＳ  １６０は、問題識別解析、根本原因解析、問題解決解析、および同様のもの、さらにはこれらのさまざまな組合せなどの機能を実行するように構成されうる。
【０１０９】
一実施形態において、ＳＳ  １６０は、ＤＣ  １３０からのデータの収集の制御、ＤＣＳ  １４０による収集データの処理の制御、および同様の処理、さらにはこれらのさまざまな組合せを行う際にＤＣＳ  １４０によって使用される制御情報をＤＣＳ  １４０に送信するように構成される。一実施形態において、そのような制御情報は、ＳＳ  １６０で（例えば、例示的なワイヤレス通信システム１００の要素、例示的なワイヤレス通信システム１００の外部の要素から、および同様の要素から）受信したトリガ要求に応答してＳＳ  １６０によって送信されうる。
【０１１０】
一実施形態において、ＳＳ  １６０は、ネットワーク解析機能をサポートする１つまたは複数の追加の機能を実行するように構成される。例えば、ＳＳ  １６０は、テストを実行するか、またはテストを実行するよう他の要素に命令する必要性を識別すること、ツールセットからのプロンプトに応答すること、すでに収集されているデータを利用すること（例えば、制御データ収集のため、収集データを解析する際に使用するため、さまざまな管理機能を実行する際に使用するため、および同様の目的のため）、および同様の操作、さらにはこれらのさまざまな組合せのうちの１つまたは複数を行うように構成されうる。
【０１１１】
一実施形態において、ＳＳ  １６０は、本明細書に図示され説明されているさまざまなタイプの情報へのアクセスおよび／または提示を行えるようにするためのグラフィカル・ユーザー・インターフェース（ＧＵＩ）をサポートする。
【０１１２】
ＧＵＩは、本明細書に図示され説明されている任意の情報へのアクセスおよび／または制御を行えるようにすることができる。例えば、このようなＧＵＩは、データ収集トリガ情報（例えば、トリガー・リスト、トリガ規則（例えば、閾値、条件、および同様のもの）、および同様のもの）、データ収集フィードバック情報、データ収集制御情報、収集データ、ビジネス・ロジック、収集データ処理規則、収集データの解析からの結果（例えば、問題識別解析結果、根本原因解析結果、および同様のもの）、および同様のもの、さらにはこれらのさまざまな組合せのうちの１つまたは複数へのアクセスおよび／または制御を行えるようにすることができる。ＧＵＩを介して利用可能な情報は、好適な任意のフォーマットで提示されうることに留意されたい（例えば、識別された、または潜在的な問題の要素および位置を示すネットワーク・マップの提示、解析結果を示すチャートおよびグラフ、ならびに同様のもの、さらにはこれらのさまざまな組合せ）。ＧＵＩは、ネットワークの特定の部分を掘り下げてより詳しい情報に次々にアクセスする機能、問題もしくは潜在的問題の影響を受ける顧客を識別する機能、および同様の機能、さらにはこれらのさまざまな組合せを実行することができる。
【０１１３】
ＧＵＩは、好適なユーザがアクセス可能であるものとしてよい。一実施形態において、例えば、ＧＵＩは、ネットワーク運用技術者（例えば、ネットワーク運用センターまたは他の好適な場所にいるローカルの技術者、ＵＥ  １０２ｏを使用するリモートの技術者、および同様のもの、さらにはこれらのさまざまな組合せ）がアクセス可能であるものとしてよい。一実施形態において、例えば、ＧＵＩは、顧客がアクセス可能であるものとしてよく、したがって、顧客はログインして、問題を報告すること、問題解析および解決の結果を判定すること、同様のもの、さらにはこれらのさまざまな組合せなどの機能を実行することができる。ＧＵＩは、他の好適なユーザがアクセス可能であるものとしてよい。
【０１１４】
一実施形態において、ＳＳ  １６０は、位置情報サービス（ＬＢＳ）情報を格納する（例えば、ＬＴＥネットワーク１１０、ＤＣＳ  １４０、および同様のもの、さらにはこれらのさまざまな組合せのうちの１つまたは複数で使用するため）。ＬＢＳ情報は、本明細書で説明されているように、さまざまな機能を実行するために使用されうる。
【０１１５】
一実施形態において、ＳＳ  １６０は、１つまたは複数の外部アプリケーション・プログラミング・インターフェース（ＡＰＩ）をサポートしており、これを介して、ＳＳ  １６０は、１つまたは複数の他のシステムと通信することができる。ＳＳ  １６０は、１つまたは複数の他のシステムと通信することで、例示的なワイヤレス通信システム１００内から決定される情報と例示的なワイヤレス通信システム１００の外部から決定される情報との相関を求めること、さまざまな管理機能を実行する際に使用するため例示的なワイヤレス通信システム１００内から決定される情報を他のシステム（複数可）に供給すること、および同様のこと、さらにはこれらのさまざまな組合せを行うことができる。
【０１１６】
一実施形態において、ＳＳ  １６０は、ＤＣＳ  １４０によって実行されるものとして本明細書に図示され説明されている機能のうちの１つまたは複数を実現するように構成されうる（例えば、ＤＣＳ  １４０によって実行されるそのような機能に加えて、および／またはその代わりに）。
【０１１７】
特定の機能が特定の要素によって実行される実施形態に関して本明細書にもっぱら図示され説明されているが、本明細書に図示され説明されているさまざまな機能のうちの少なくとも一部は、他の要素によって、要素の組合せによって、および同様のものによって、これらのさまざまな組合せによって実行されうることに留意されたい。
【０１１８】
一実施形態において、ＵＥ  １０２、ＤＣ  １３０、およびＤＣＳ  １４０は、さまざまな機能を実現するように連携しうる。一実施形態において、例えば、ＵＥ  １０２、ＤＣ  １３０、およびＤＣＳ  １４０は、（１）ＵＥ  １０２上で利用可能な診断アプリケーションを使用して、データ収集および／またはＤＣ  １３０への既存データの保存をトリガする機能（例えば、データ収集制御情報を１つまたは複数のＤＣ  １３０にＤＣＳ  １４０が送信するトリガとなる、診断アプリケーションからＤＣＳ  １４０へのデータ収集フィードバック情報の供給を介して）、（２）ＵＥ  １０２上で利用可能なデータ（例えば、エラー情報、診断情報、位置情報、および同様の情報）を解析し、相関を求め、データをＤＣＳ  １４０に供給する機能、（３）一定の期間、特定のコンシューマＵＥ  １０２および／またはコンシューマＵＥ  １０２のクラスに関連する、データ・トラヒックを分離し、休止する機能のうちの１つまたは複数を実現するように連携しうる。多くのこのような機能は、そのような機能を実現するために個別の要素によって実行される関連機能を背景として図示され説明されていることにも留意されたい。
【０１１９】
一実施形態において、ＤＣＳ  １４０およびＳＳ  １６０は、さまざまな機能を実現するように連携しうる。一実施形態において、例えば、ＤＣＳ  １４０およびＳＳ  １６０は、（１）ネットワークおよび／またはエンドユーザー・サービス障害を検出し、解析し、トラブルシュートするために、さまざまなデバイス（例えば、コンシューマＵＥ  １０２、ネットワーク上でワイヤレス・セルラー通信を使用する他のコンピューティング・デバイス、ネットワーク・データ経路にそって配設されたＤＣ  １３０、および同様のもの）から収集されたデータをトラップし、キャプチャし、ソートし、優先順位付けし、および解析するように例示的な通信システムのシステム要素を構成する機能、および（２）アプリケーション・プログラミング・インターフェースを使用して、アプリケーションとネットワーク内のデータ・キャプチャ／システムとの間のデータの外部システムおよびシステム内の共有を可能にする機能のうちの１つまたは複数を実現するように連携しうる。
【０１２０】
さまざまな機能および能力を実現する機能要素の組合せの使用を示す前記の例は、単なる例にすぎないこと、および本明細書に図示され説明されているさまざまな他の能力および機能は、さまざまな他の方法でさまざまな機能要素にまたがって分散されうることに留意されたい。
【０１２１】
さまざまな機能および能力を実現する機能要素の組合せの使用を示す前記の例は、単なる例にすぎないこと、さまざまな機能要素に関して本明細書で説明されているように、少なくともいくつかのそのような機能は機能要素の説明されている組合せの各機能要素上で実行される特定の副機能を使用して実現されることにさらに留意されたい。
【０１２２】
一実施形態において、ネットワーク診断トリガおよびトラヒック・キャプチャ・デバイスとしてＵＥ  １０２を使用するための機能が実現される。本明細書に説明されているように、ＵＥ  １０２は、そのような機能を円滑に実行できるように構成された関連アプリケーション１０３を備えることができる。ネットワーク診断トリガおよびトラヒック・キャプチャ・デバイスとしてのＵＥ  １０２の使用は、少なくともいくつかの特徴に関して、ＵＥ  １０２のタイプ（例えば、コンシューマＵＥ  １０２ｃまたはオペレータＵＥ  １０２ｏ）に依存しうる。
【０１２３】
ネットワーク診断トリガおよびトラヒック・キャプチャ・デバイスとしてのコンシューマＵＥ  １０２ｃの使用に対する例示的な実施形態の説明は以下のとおりである。コンシューマＵＥ  １０２ｃには、アプリケーション１０３ｃがインストールされている。アプリケーション１０３ｃは、好適な任意の方法でコンシューマＵＥ  １０２ｃにダウンロードされうる（例えば、ユーザによる要求に応答してコンシューマＵＥ  １０２ｃにダウンロードされる、ＷＮＳＰによってコンシューマＵＥ  １０２ｃにプッシュされる、および同様の操作がなされる）。アプリケーション１０３ｃは、コンシューマＵＥ  １０２ｃ上ですでに実行中であるか、またはコンシューマＵＥ  １０２ｃ上で起動されている可能性がある。コンシューマＵＥ  １０２ｃのユーザは、アプリケーション１０３ｃを認識していてもしていなくてもよく、コンシューマＵＥ  １０２ｃの通常使用を続けることができる。アプリケーション１０３ｃは、アプリケーション１０３ｃが監視機能を実行するイベントを識別するプロセスを実行する。アプリケーション１０３ｃは、ＡＳ  １５０と通信し、テスト・データがアプリケーション１０３ｃとＡＳ  １５０との間で送信される。アプリケーション１０３ｃは、テスト・データおよび、オプションにより、他のネットワーク性能インジケータに基づき情報を収集する。アプリケーション１０３ｃは、位置情報（例えば、ＬＢＳベースの位置情報、ＧＰＳデータ、および同様のもの）を収集するプロセスを実行し、そのような位置情報は、さまざまなデータ収集機能および／または収集データ解析機能を制御するためにＤＣＳ  １４０によって使用されうる。コンシューマＵＥ  １０２ｃをサポートするネットワーク要素に関連するＤＣ  １３０は、コンシューマＵＥ  １０２ｃに対するデータを収集し、格納する（例えば、アプリケーション１０３ｃとＡＳ  １５０との間のデータ経路にそって）（例えば、ＤＣ  １３０は、そのようなデータをすでに収集している可能性があり、および／またはＤＣＳ  １４０は、ＤＣ  １３０を構成するように適合されているデータ収集制御情報を提供することができる）。ＤＣＳ  １４０は、コンシューマＵＥ  １０２ｃに関連するＤＣ  １３０から収集データを受信し、これはコンシューマＵＥ  １０２ｃ上で収集されたデータも含みうる。ＤＣ  １３０は収集データをＤＣＳ  １４０に供給するように構成されうる、ＤＣＳ  １４０はＤＣ  １３０に収集データを定期的に要求するように構成されうる、および同様の構成がなされうる。アプリケーション１０３ｃは、定義済みイベントがアプリケーション１０３ｃによって検出されたときにＤＣＳ  １４０へのメッセージをトリガすることもできる。ＤＣＳ  １４０は、定義済みイベントを識別すること、イベントの位置を識別すること、ネットワーク性能をさらに解析する際に追加のデータが必要であるか、または使用するのが望ましいかどうかを決定すること、および同様のこと、さらにはこれらのさまざまな組合せなどの機能を実行するために収集データを処理する。ＤＣＳ  １４０は、ＤＣ  １３０の環状バッファまたは他の好適な記憶域を介して最近の期間の収集データをＤＣ  １３０に問い合わせること、テスト・データ・ス��リーム（例えば、アプリケーション１０３ｃおよび／またはＡＳ  １５０の）を制御すること、ＤＣ  １３０を制御して追加のデータを収集するようＤＣ  １３０に命令すること、および同様補操作、さらにはこれらのさまざまな組合せなどの機能を実行することもできる。ＤＣＳ  １４０は、特定のＵＥ  １０２ｃまたはＵＥ  １０２ｃのグループが、ネットワーク性能問題を引き起こすことに関わっているか、または引き起こす疑いがあると予防的に判定するために収集データを処理することができる。ＤＣＳ  １４０は、危機的イベント、ネットワーク性能、地理的領域、論理的領域（例えば、ネットワーク・アーキテクチャ／ネットワーク位置による）、ネットワーク性能劣化を引き起こしているか、または引き起こしている可能性のあるデバイス（複数可）、および同様のもの、さらにはこれらのさまざまな組合せの解析を実行することができる。ＤＣＳ  １４０は、格納し、追加の解析および関連する管理機能を実行する際に使用する情報をＳＳ  １６０に供給することができる。ＤＣＳ  １４０は、コンシューマＵＥ  １０２ｃに対するネットワーク・トラヒックを休止させることができる（例えば、ネットワークに対する影響が決定され解析されるように、一定の期間にわたって）、ＳＳ  １６０は、１つまたは複数の標準インターフェースを介して１つまたは複数の他の解析システムでデータの相関を求めるように構成されうる。ＳＳ  １６０は、検出されたイベントに関してネットワーク運用技術者に通知するように構成されうる。ＳＳ  １６０は、さまざまな管理機能を実行する（例えば、根本原因解析を実行する、是正解析を実行する、および同様の操作を行う）際にネットワーク運用技術者によって使用される情報（例えば、イベントの識別、問題もしくは潜在的問題に関連する位置情報、および同様のもの）をネットワーク運用技術者に提供するように構成されうる。前記の機能は、例示的な実施形態を背景としてもっぱら説明されているが、これらの機能のさまざまな組合せは、本明細書に図示され説明されている他のさまざまな実施形態の範囲内で利用されうる。
【０１２４】
ネットワーク診断トリガおよびトラヒック・キャプチャ・デバイスとしてのオペレータＵＥ  １０２ｏの使用に対する例示的な実施形態の説明は以下のとおりである。オペレータＵＥ  １０２ｏは、ネットワーク運用技術者によって現場の特定の地理的位置へ持ち出される（例えば、１つまたは複数の顧客の苦情に応じて、ＷＮＳＰによる問題もしくは潜在的問題の識別に応答して、および同様の対応により）。オペレータＵＥ  １０２ｏは、関連するＷＮＳＰがネットワーク診断をサポートする１つまたは複数の機能を実行する必要があることを識別したときにネットワーク運用技術者によって現場の特定の地理的位置に持ち出すことができる（例えば、テストを実行するため、ＤＣ  １３０を制御してデータを収集するため、ＤＣＳ  １４０を制御するため、収集データを解析するため、および同様の作業のため、さらにはこれらのさまざまな組合せを行うため）。オペレータＵＥ  １０２ｏには、アプリケーション１０３ｏがインストールされている。アプリケーション１０３ｏは、好適な任意の方法でオペレータＵＥ  １０２ｏ上に構成されうる（例えば、オペレータＵＥ  １０２ｏ上に事前構成される、ネットワーク運用技術者による要求に応答してオペレータＵＥ  １０２ｏにダウンロードされる、および同様の操作がなされる）。アプリケーション１０３ｏは、ネットワーク運用技術者によって制御されるように構成される。アプリケーション１０３ｏは、アプリケーション１０３ｏが監視機能を実行するイベントを識別するプロセスを実行する。アプリケーション１０３ｏは、ＡＳ  １５０と通信し、テスト・データがアプリケーション１０３ｏとＡＳ  １５０との間で送信される。アプリケーション１０３ｏは、テスト・データおよび、オプションにより、他のネットワーク性能インジケータに基づき情報を収集する。アプリケーション１０３ｏは、位置情報（例えば、ＬＢＳベースの位置情報、ＧＰＳデータ、および同様のもの）を収集するプロセスを実行し、そのような位置情報は、さまざまなデータ収集機能および／または収集データ解析機能を制御するためにＤＣＳ  １４０によって使用されうる。オペレータＵＥ  １０２ｏをサポートするネットワーク要素に関連するＤＣ  １３０は、オペレータＵＥ  １０２ｏに対するデータを収集し、格納する（例えば、アプリケーション１０３ｏとＡＳ  １５０との間のデータ経路にそって）（例えば、ＤＣ  １３０は、そのようなデータをすでに収集している可能性があり、および／またはＤＣＳ  １４０は、ＤＣ  １３０を構成するように適合されているデータ収集制御情報を提供することができる）。アプリケーション１０３ｏは、ネットワーク運用技術者がデータ収集のさまざまな態様（例えば、収集されるデータのタイプ、収集されたデータの量、および同様のもの）を制御するための機能を備える。ＤＣＳ  １４０は、オペレータＵＥ  １０２ｏに関連するＤＣ  １３０からデータを受信し、これはオペレータＵＥ  １０２ｏ上で収集されたデータも含みうる。ＤＣ  １３０は収集データをＤＣＳ  １４０に供給するように構成されうる、ＤＣＳ  １４０はＤＣ  １３０に収集データを定期的に要求するように構成されうる、および同様の構成がなされうる。アプリケーション１０３ｏは、ネットワーク運用技術者がデータが（例えば、オペレータＵＥ  １０２ｏおよび／またはＤＣ  １３０から）解析のためにＤＣＳ  １４０にいつ送信されるかを指定するための機能を備えることができる。アプリケーション１０３ｏは、定義済みイベントがアプリケーション１０３ｏによって検出されたときにＤＣＳ  １４０へのメッセージをトリガすることもできる。ＤＣＳ  １４０は、定義済みイベントを識別すること、イベントの位置を識別すること、ネットワーク性能をさらに解析する際に追加のデータが必要であるか、または使用するのが望ましいかどうかを決定すること、および同様のこと、さらにはこれらのさまざまな組合せなどの機能を実行するために収集データを処理する。ＤＣＳ  １４０は、ＤＣ  １３０の環状バッファまたは他の好適な記憶域を介して最近の期間の収集データをＤＣ  １３０に問い合わせること、テスト・データ・ストリーム（例えば、アプリケーション１０３ｏおよび／またはＡＳ  １５０の）を制御すること、ＤＣ  １３０を制御して追加のデータを収集するようＤＣ  １３０に命令すること、および同様の操作、さらにはこれらのさまざまな組合せなどの機能を実行することもできる。ＤＣＳ  １４０は、特定のＵＥ  １０２ｃまたはＵＥ  １０２ｃのグループが、ネットワーク性能問題を引き起こすことに関わっているか、または引き起こす疑いがあると予防的に判定するために収集データを処理することができる。ＤＣＳ  １４０は、危機的イベント、ネットワーク性能、地理的領域、論理的領域（例えば、ネットワーク・アーキテクチャ／ネットワーク位置による）、ネットワーク性能劣化を引き起こしているか、または引き起こしている可能性のあるデバイス（複数可）、および同様のもの、さらにはこれらのさまざまな組合せの解析を実行することができる。ＤＣＳ  １４０は、格納し、追加の解析および関連する管理機能を実行する際に使用する情報をＳＳ  １６０に供給することができる。ＤＣＳ  １４０は、コンシューマＵＥ  １０２ｃに対するネットワーク・トラヒックを休止させることができる（例えば、ネットワークに対する影響が決定され解析されるように、一定の期間にわたって）、ＳＳ  １６０は、１つまたは複数の標準インターフェースを介して１つまたは複数の他の解析システムでデータの相関を求めるように構成されうる。ＳＳ  １６０は、検出されたイベントに関してネットワーク運用技術者に通知するように構成されうる。ＳＳ  １６０は、さまざまな管理機能を実行する（例えば、根本原因解析を実行する、是正解析を実行する、および同様の操作を行う）際にネットワーク運用技術者によって使用される情報（例えば、イベントの識別、問題もしくは潜在的問題に関連する位置情報、および同様のもの）をネットワーク運用技術者に提供するように構成されうる。前記の機能は、例示的な実施形態を背景としてもっぱら説明されているが、これらの機能のさまざまな組合せは、本明細書に図示され説明されている他のさまざまな実施形態の範囲内で利用されうる。
【０１２５】
図２は、ネットワーク性能解析で使用するためのデータの収集を制御するためのネットワーク解析機能の使用例を示す、図１の例示的なワイヤレス通信システムを示す。図２は、一般的に、コンシューマＵＥ  １０２ｃがプロセスに参加しているコンシューマ・ベースの実施形態およびオペレータＵＥ  １０２ｏがプロセスに参加しているオペレータ・ベースの実施形態に適用可能である。
【０１２６】
ステップ２０１で、ＤＣＳ  １４０は、監視情報をＵＥ  １０２のアプリケーション１０３に送信する。監視情報は、ＵＥ  １０２のアプリケーション１０３によって実行される監視を定義する。例えば、監視情報により、ＵＥ  １０２のアプリケーション１０３が、さまざまなイベント、トリガ条件、および同様のものを監視することを指定することができる。監視情報は、好適な任意の方法で指定されうる（例えば、規則、閾値、および同様のもの、さらにはこれらのさまざまな組合せを使用して）。ＵＥ  １０２のアプリケーション１０３がＤＣＳ  １４０から監視情報を受信する一実施形態に関してもっぱら図示され説明されているが、ＵＥ  １０２のアプリケーション１０３は、他の任意の好適な要素（例えば、ＡＳ  １５０、ＳＳ  １６０、または他の好適な任意の要素（複数可））から監視情報を受信することができることに留意されたい。
【０１２７】
ステップ２０２で、ＵＥ  １０２のアプリケーション１０３は、受信された監視情報に基づき監視を実行する。例えば、ＵＥ  １０２のアプリケーション１０３は、１つまたは複数のイベント、トリガ条件、および同様のものを検出することを目的として監視することができる。例えば、イベントは、呼のドロップであってよい（例えば、これは、アプリケーション１０３がアプリケーション１０３によって収集された関連する呼関係データをＤＣＳ  １４０に送信するトリガとなりうる）。例えば、イベントは、データ・セッションのドロップであってよい（例えば、これは、アプリケーション１０３がアプリケーション１０３によって収集された関連するセッション関係データをＤＣＳ  １４０に送信するトリガとなりうる）。例えば、ＵＥ  １０２のユーザは、（例えば、アプリケーション１０３を介して、または他の任意の好適な方法で）、自分のエクスペリエンスの質が許容できないということを指示することができ、アプリケーション１０３は、アプリケーション１０３が収集データをＤＣＳ  １４０に送信することをトリガするイベントとしてそのような指示を検出することができる。さまざまな他のタイプのイベントが定義され、同様に、さまざまな他のタイプのイベント（例えば、閾値の交差、パケット損失の検出、テスト・パケットの受信、および同様の動作）を検出するために監視が実行されうることに留意されたい。
【０１２８】
ステップ２０３で、ＵＥ  １０２のアプリケーション１０３は、監視情報に基づき実行される監視に基づきイベントを検出すると、データ収集フィードバック情報をＤＣＳ  １４０に送信する。図２において、データ収集フィードバック情報は、アプリケーション１０３からＤＣＳ  １４０に報告されるイベントの形態で与えられるが、そのようなデータ収集フィードバック情報は、他の好適な形でＤＣＳ  １４０に供給されうることに留意されたい。本明細書で説明されているように、また図２に少なくとも部分的に記載されているように、データ収集フィードバック情報は、イベント通知の送信元であるＵＥ  １０２に関連するデバイス情報（例えば、ＵＥ  １０２の識別子、ＵＥ  １０２のデバイス・タイプ、および同様のもの）、イベントに関連する詳細（例えば、イベントを検出することを目的として収集されるデータ、イベントの検出に応答して収集されるデータ、イベント識別子／コード、および同様のもの）、イベントに関連する位置情報（例えば、ＬＢＳ情報、ＧＰＳデータ、ジオロケーション・コード、および同様のもののうちの１つまたは複数に基づくものとしてよい、イベントが検出されたときのＵＥ  １０２の位置）、タイムスタンプ情報（例えば、アプリケーション１０３によってイベントが検出された日時、収集データに関連するタイムスタンプ、および同様のもの）、ネットワーク経路情報（例えば、データ経路エンコード識別子、ネットワーク経路が決定される場合の元となるネットワーク・アクセス・ポイント識別情報、および同様のもの）、および同様のもの、さらにはこれらのさまざまな組合せなどの情報を含みうる。
【０１２９】
少なくともいくつかの実施形態では、コンシューマＵＥ  １０２ｃのアプリケーション１０２ｃおよびオペレータＵＥ  １０２ｏのアプリケーション１０２ｏについて、監視、イベント検出、およびデータ収集フィードバック情報の伝搬に関係する情報は、ＵＥ  １０２に関連するデバイス・ステータス情報、ＵＥ  １０２に対する無線受信ステータス情報（例えば、サービス・セクター識別子、信号強度、および同様のもの）、呼特徴付け情報（呼の長さ、位置、および同様のもの）、アプリケーション関係データ（例えば、使用中のアプリケーション、アプリケーション性能情報（例えば、ページのロードに要する時間の長さ）、パケット・ドロップの量、データ・スループット、パケット遅延、ラウンド・トリップ・タイム（ＲＴＴ）、ジッター、および同様のもの）、および同様のもの、さらにはこれらのさまざまな組合せに関して指定され、および／またはそのうちの１つまたは複数を含みうる。このような情報は、イベント監視が基づく監視情報を定義するために使用することができ、イベント検出の監視を背景として収集され、解析され、および／またはイベントの検出に応答して報告されるデータ収集フィードバック情報として提供されうることに留意されたい。このような情報は、ＵＥ  １０２上でアプリケーション１０３によって収集され、アプリケーション１０３によってＵＥ  １０２から抽出され、および同様の操作が加えられうることに留意されたい。情報の少なくとも一部は、アプリケーション１０３によるイベントの検出前（例えば、そのような情報がアプリケーションによって収集され、解析され、データ収集フィードバック情報がＤＣＳ  １４０に報告されるようにイベントが検出されたかどうかを判定する場合）、および／またはイベントの検出後（例えば、イベントが検出されたことで、イベントがＤＣＳ  １４０に報告されるときにそのような情報の収集がＤＣＳ  １４０に送られる場合）に収集されうることに留意されたい。
【０１３０】
少なくともいくつかの実施形態では、オペレータＵＥ  １０２ｏのアプリケーション１０２ｏは、イベント監視が基づく監視情報、イベント検出の監視を背景とするデータの収集および解析、および／またはイベントの検出に応答して報告されるデータ収集フィードバック情報の伝搬の定義に関係する追加の機能（例えば、コンシューマＵＥ  １０２ｃとオペレータＵＥ  １０２ｏの両方に関して説明されているものに加えて）を実現するように構成されうる。例えば、アプリケーション１０３ｏは、オペレータＵＥ  １０２ｏのオペレータが、アプリケーション１０３ｏから利用可能なリストから、関連するデータが収集されうるように呼またはデータ・セッションを開始する特定の１つまたは複数のテストを選択できるように構成されうる。例えば、アプリケーション１０３ｏは、収集データをＤＣＳ  １４０に自動的に送信するように、および／またはＵＥ  １０２ｏのオペレータが収集データをＤＣＳ  １４０に送信することを選択できるように構成されうる。ステップ２０４で、ＤＣＳ  １４０は、ＵＥ  １０２のアプリケーション１０３から受信されたデータ収集フィードバック情報を処理する。
【０１３１】
ＤＣＳ  １４０は、データ収集フィードバック情報を処理して、報告されるイベントに関係する追加のデータの収集を開始するかどうかを決定することができる（例えば、イベントがさらなる解析を必要としない異常であるかどうか、イベントがさらなる解析が有用であるか、または有用でありうるようなトレンドもしくはより大きな問題の潜在的一部であるかどうか、および同様のこと）。
【０１３２】
ＤＣＳ  １４０は、追加のデータの収集を開始することを決定した後（例えば、イベントに応答して、１つまたは複数の他の報告されたイベントと組み合わせたイベントに応答して、および同様の応答で）、データ収集詳細情報に従ってデータの収集を制御するため他の要素に伝搬されるデータ収集制御情報を生成するためにＤＣＳ  １４０によって使用されうるデータ収集詳細情報を識別する。
【０１３３】
ＤＣＳ  １４０は、ＵＥ  １０２からのデータ収集フィードバック情報を使用してデータ収集詳細情報を生成する。データ収集詳細情報は、データの収集を制御するためデータ収集制御情報を生成する際に使用するのに適した任意の情報を含むことができる。
【０１３４】
例えば、データ収集詳細情報は、データ収集要素と称されうるデータの収集元である要素（複数可）の識別を含むことができる。例えば、データ収集要素は、ＤＣ  １３０（例えば、ｅＮｏｄｅＢ  １１１、ＳＧＷ  １１２、ＰＧＷ  １１３、ＩＮＧ  １２０、および同様のもの）、ＵＥ  １０２のアプリケーション１０３、ＡＳ  １５０、および同様のものを含みうる。
【０１３５】
例えば、データ収集詳細情報は、収集するデータのタイプ（複数可）（例えば、制御トラヒック、ベアラ・トラヒック、テスト・トラヒック、テスト結果、および同様のもの）、データが収集される期間（例えば、すでに収集されているデータをＤＣＳ  １４０に供給するようＤＣ  １３０に命令する、ＤＣＳ  １４０に供給するデータの収集を開始するようＤＣ  １３０に命令する、および同様の操作をする）、および同様のもの、さらにはこれらのさまざまな組合せを指定することができる。
【０１３６】
例えば、データ収集詳細情報は、実行される１つまたは複数のテストに関連する情報（例えば、実行されるテストのタイプ、テストが実行される際に基づく条件、テストを実行する仕方、テストに応答して予想されるか、または望ましいテスト結果の指示、および同様のもの、さらにはこれらのさまざまな組合せ）を指定することができる。例えば、そのようなテストは、ＡＳ  １５０からＵＥ  １０２へのコンテンツのダウンロード、ＡＳ  １５０とＵＥ  １０２との間のテスト・パケットの交換、および同様のものに関係するテストを含みうる。
【０１３７】
データ収集詳細情報は、データ収集を制御する際に使用するのに適した他のタイプ（複数可）の情報を含むことができる。
【０１３８】
一実施形態において、ＤＣＳ  １４０は、データ収集フィードバック情報の一部として受信した位置情報を使用してデータ収集詳細情報の少なくとも一部を決定する。このような一実施形態において、例えば、位置情報は、ネットワーク内で問題が発生している可能性のある場所を突き止めるためＤＣＳ  １４０によって使用されうる。例えば、イベントが検出されたときにＵＥ  １０２の地理的位置を示す受信した位置情報に基づき、ＤＣＳ  １４０は、ＵＥ  １０２が現在（または少なくとも可能性として）ＬＴＥネットワーク１１０（例示的には、ｅＮｏｄｅＢ  １１１）にアクセスするために経由するｅＮｏｄｅＢを識別することができる。位置情報からｅＮｏｄｅＢ  １１１を識別した、ＤＣＳ  １４０は、次いで、ＵＥ  １０２のデータ・パケットに対する可能なデータ経路（例えば、ｅＮｏｄｅＢ  １１１からＳＧＷ  １１２、ＰＧＷ  １１３への経路など）を決定することができる。その結果、ＤＣＳ  １４０は、ＵＥ  １０２に生じた問題のトラブルシューティングを行うために解析することができるデータにアクセスできる、ＵＥ  １０２のデータ経路上にある、ネットワーク要素をすでに識別している。ＤＣＳ  １４０は、次いで、データ収集詳細情報の一部としてこれらの識別されたネットワーク要素のそれぞれを含むことができる。
【０１３９】
ＤＣＳ  １４０は、データ収集詳細情報を使用してデータ収集制御情報を生成する。データ収集制御情報は、データ収集詳細情報に関してデータ収集要素（複数可）に命令するように構成される。データ収集制御情報は、好適な任意のフォーマットで（例えば、実行されるデータ収集機能の要素に命令するコマンドとして、実行されるデータ収集機能を決定するため要素によって処理されうる情報として、および同様のものとして、さらにはこれらのさまざまな組合せとして）与えることができる。データ収集制御情報では、データ収集詳細情報の少なくとも一部を使用することに留意されたい。例えば、データ収集制御情報は、（１）ＤＣＳ  １４０に、ＵＥ  １０２に対して前の１５分間にわたって収集されたベアラ・トラヒックを与えることが必要であることをｅＮｏｄｅＢ  １１１のところでＤＣ  １３０に指示するための情報、（２）５分以内に開始し、次の３０分間続く、ＵＥ  １０２に対するベアラ・トラヒックの収集を開始し、収集されたベアラ・トラヒックをＤＣＳ  １４０に与えることが必要であることをＳＧＷ  １１２のところでＤＣ  １３０に指示するための情報、および（３）アプリケーション１０３とのテスト通信を開始し、テスト結果をＤＣＳ  １４０に与えることが必要であることをＡＳ  １５０に指示するための情報などの情報を含みうる。データ収集制御情報は、好適な任意の要素（複数可）をターゲットとし、好適なタイプのデータ収集機能を実行するよう要素に命令することができることに留意されたい（つまり、前記の例は、データ収集制御情報を介してＤＣＳ  １４０によって制御されうる多くの異なるタイプのデータ収集機能のいくつかの例にすぎない）。
【０１４０】
ステップ２０５で、ＤＣＳ  １４０は、データ収集制御情報をデータの収集元となる要素としてＤＣＳ  １４０によって識別されたデータ収集要素に伝搬する。図２において、わかりやすくするために、データ収集制御情報は、ｅＮｏｄｅＢ  １１１のＤＣ  １３０およびＳＧＷ  １１２に、またＵＥ  １０２のアプリケーション１０３に伝搬されるものとしてしか示されていないが、データ収集制御情報は、ＤＣＳ  １４０から他の好適な任意の要素（例えば、ＰＧＷ  １１３のＤＣ  １３０、ＡＳ  １５０、および同様のもの）に伝搬されうることに留意されたい。一実施形態において、例えば、ＤＣＳ  １４０は、命令をｅＮｏｄｅＢ  １１１のＤＣ  １３０およびＳＧＷ  １１２に送信し、ＵＥ  １０２に関連するベアラ・トラヒックを収集するようＤＣに命令する。（図２に示されている）一実施形態において、例えば、ＤＣＳ  １４０は、ＵＥ  １０２のアプリケーション１０３に命令を送信する（例えば、データを収集するようアプリケーション１０３に命令する、ＡＳ  １５０へのテスト・ストリームを開始し、テストの結果を報告するようアプリケーション１０３に命令し、および同様の操作、さらにはこれらのさまざまな組合せを行う）。（図２に示されていない）一実施形態において、例えば、ＤＣＳ  １４０は、ＡＳ  １５０に命令を送信する（例えば、データを収集するようＡＳ  １５０に命令する、アプリケーション１０３へのテスト・ストリームを開始し、テストの結果を報告するようＡＳ  １５０に命令し、および同様の操作、さらにはこれらのさまざまな組合せを行う）。
【０１４１】
ステップ２０６で、データ収集要素は、データ収集制御情報を受信し、データ収集制御情報を処理して、収集しＤＣＳ  １４０に送るデータを決定し、収集データをＤＣＳ  １４０に送信する。ＤＣＳ  １４０は、データ収集要素から収集データを受信する。
【０１４２】
ステップ２０７で、ＤＣＳ  １４０は、データ収集要素から受信した収集データを解析し、解析結果をＳＳ  １６０へ伝搬させる。ＤＣＳ  １４０は、格納するため生収集データをＳＳ  １６０（および／または他のシステム）へ伝搬させることができる。ＳＳ  １６０は、解析結果（および、オプションにより、生収集データ）を受信する。
【０１４３】
ステップ２０８で、ネットワーク運用職員は、情報（例えば、解析結果、生収集データ、および同様のもの）にアクセスし、アクセスされた情報に基づき管理機能を実行する。図２に示されているように、ネットワーク運用職員は、ＮＯＣ内の端末を介して、コンピュータ上のウェブを介して、モバイル・デバイスを介して、および同様のものを介して情報にアクセスすることができる。ネットワーク運用職員は、解析結果を検討し、受信した解析結果（および／または他の好適な情報）に基づき追加の解析を実行し、および同様の操作を実行することができる。ネットワーク運用職員は、データ収集をターゲットとしたイベントの根本原因を特定するための根本原因解析、イベントをターゲットとした問題イベントを解決することを試みるための問題解決解析、および同様の解析、さらにはこれらのさまざまな組合せなどの１つまたは複数の管理機能を実行することができる。
【０１４４】
少なくともいくつかの実施形態では、ネットワーク解析機能も、および／または代替的に、１つまたは複数の追加のシナリオ、およびこれらのシナリオに関連付けられている関連機能をサポートすることができる。いくつかの例示的なシナリオおよび関連機能が、図３〜７に関して図示され説明されている。関連機能の各グループを有する独立したシナリオとしてもっぱら図示され説明されているが（その少なくとも一部はシナリオの少なくとも一部にわたって共通であってもよい）、（１）これらの例示的なシナリオおよび関連機能のうちの少なくとも一部は、互いに組み合わされ、および／または本明細書に特に示され説明されている１つまたは複数のシナリオおよび関連機能と組み合わされ、および／または本明細書に図示され説明されているさまざまな実施形態の対象となる、および／または企図されるものとして理解され、および／または（２）例示的なシナリオのさまざまな機能は、本明細書に図示され説明されている実施形態の範囲内で使用され、実施形態を形成するように組み合わされ、および同様になされ、さらにこれらのさまざまな組合せで形成されうることに留意されたい。
【０１４５】
図３は、単一のＵＥがデータ収集サーバによるデータ収集の開始を引き起こすイベントを識別する例示的な一実施形態を示す。図３は、図１の例示的なワイヤレス通信システムの部分を示している。図３は、例示的なデータ収集システム３００を示している。例示的なデータ収集システム３００は、アプリケーション１０３ｃを備えるコンシューマＵＥ  １０２ｃを備える（スマートフォンとして図示されているが、コンシューマＵＥ  １０２ｃは他の好適な任意のタイプのデバイスであってもよい）。例示的なデータ収集システム３００は、ｅＮｏｄｅＢ  １１１（これを介してコンシューマＵＥ  １０２ｃはＬＴＥネットワーク１１０にアクセスする）、ＭＭＥ  １１５、およびＩＮＧ  １２０を備える。例示的なデータ収集システム３００は、ｅＮｏｄｅＢ  １１１、ＭＭＥ  １１５、およびＩＮＧ  １２０に関連するＤＣ  １３０と通信するように構成された、ＤＣＳ  １４０を備える。例示的なデータ収集システム３００は、オペレータがラップトップを使用してアクセスできる、ＳＳ  １６０を備える。
【０１４６】
図３に示されているように、ユーザは、コンシューマＵＥ  １０２を介して、データ接続を介して電話または電話サービスを使用している。アプリケーション１０３ｃは、１つまたは複数のプリセットされたイベント（例えば、見守るイベント）を監視し、コンシューマＵＥ  １０２ｃとｅＮｏｄｅＢ  １１１との間の無線通信リンク上のプリセットされたイベントの１つを検出する。アプリケーション１０３ｃは、検出されたイベントの詳細をＤＣＳ  １４０にシグナリングで知らせる。ＤＣＳ  １４０は、そのようなイベントの数を監視し、コンシューマＵＥ  １０２ｃ〜ｅＮｏｄｅＢ  １１１〜ＭＭＥ  １１５〜ＩＮＧ  １２０の経路にそってデータ収集を開始するためのデータ収集制御情報を生成する。データ収集制御情報は、ＤＣ  １３０がすでに収集されているデータを保存し、および／またはデータの収集を開始することを行わせるように構成される。ＤＣＳ  １４０は、ＤＣ  １３０から収集データを受信し、収集データを解析し、解析結果をＳＳ  １６０に供給する。オペレータは、ラップトップ（または他の好適なデバイス）を使ってＳＳ  １６０にアクセスし、追加の解析を実行するために必要なデータがすでに収集されており（オペレータがそのようなデータの収集を開始し制御しなくても）、収集されたデータはすでに解析されており、特定の問題がオペレータによる検討および考慮のためすでに利用可能である（例えば、イベントに対する考えられる原因、問題を是正するために講じることができる考えられる対策、および同様のもの、さらにはこれらのさまざまな組合せ）ことを知る。
【０１４７】
図４は、単一のＵＥがネットワーク・オペレータによって設定されたパラメータに基づき収集サーバによるデータ収集の開始を引き起こすイベントを識別する例示的な一実施形態を示す。図４は、図１の例示的なワイヤレス通信システムの部分を示している。図４は、例示的なデータ収集システム４００を示している。例示的なデータ収集システム４００は、関連するアプリケーション１０３ｃを有するコンシューマＵＥ  １０２ｃを備える（スマートフォンとして図示されているが、コンシューマＵＥ  １０２ｃは他の好適な任意のタイプのデバイスであってもよい）。例示的なデータ収集システム４００は、ｅＮｏｄｅＢ  １１１（これを介してコンシューマＵＥ  １０２ｃはＬＴＥネットワーク１１０にアクセスする）、ＳＧＷ  １１２、ＰＧＷ  １１３、およびＩＮＧ  １２０を備え、これらは図１に示されているように配置されている。例示的なデータ収集システム４００はＭＭＥ  １１５を備え、ｅＮｏｄｅＢ  １１１とＭＭＥ  １１５との間の通信およびＭＭＥ  １１５とＩＮＧ  １２０との間の通信を含む。例示的なデータ収集システム４００は、図１に示されていないｅＮｏｄｅＢ  ４１１（ＤＣ  １３０が関連付けられている）を備え、これを介して、コンシューマＵＥ  １０２ｃはＬＴＥネットワーク１１０にアクセスすることができる。図４に示されているように、ｅＮｏｄｅＢ  １１１およびｅＮｏｄｅＢ  ４１１はそれぞれ、ＳＧＷ  １１２とＭＭＥ  １１５の両方と通信する。例示的なデータ収集システム３００は、ｅＮｏｄｅＢ  １１１、ｅＮｏｄｅＢ  ４１１、ＳＧＷ  １１２、ＰＧＷ  １１３、ＭＭＥ  １１５、およびＩＮＧ  １２０に関連するＤＣ  １３０と通信するように構成された、ＤＣＳ  １４０を備える。ＤＣＳ  １４０は、ラップトップを使用してオペレータによってアクセス可能である。
【０１４８】
図４に示されているように、オペレータは、ラップトップを使ってＤＣＳ  １４０にアクセスし、データ収集システム４００全体に対するシステム・パラメータ（例えば、キー性能インジケータ（ＫＰＩ）、閾値、イベント、および同様のもの）を定義する。ユーザは、コンシューマＵＥ  １０２ｃを介して、データ接続を介して電話または電話サービスを使用している。アプリケーション１０３ｃは、プリセットされたイベントのうちの１つまたは複数を監視し、オペレータによって設定された閾値のうちの１つの違反を識別する。アプリケーション１０３ｃは、検出された閾値違反の詳細をＤＣＳ  １４０にシグナリングで知らせる。このときに、ＤＣ  １３０は、データ経路にそって、データを収集している。ＤＣＳ  １４０は、オペレータによって構成されたパラメータおよびデータ経路（例示的に、データ経路はコンシューマＵＥ  １０２ｃ〜ｅＮｏｄｅＢ  １１１〜ＳＧＷ  １１２〜ＰＧＷ  １１３〜ＩＮＧ  １２０）を参照してインテリジェンス機能を使用して、データ経路にそって追加のデータの収集を開始するためのデータ収集制御情報を生成する。データ収集制御情報は、ＤＣ  １３０が追加のデータの収集を開始することを行わせるように構成される。ＤＣＳ  １４０は、ＤＣ  １３０から収集データを受信し、収集データを解析する。オペレータは、ラップトップ（または他の好適なデバイス）を使ってＤＣＳ  １４０にアクセスし、追加の解析を実行するために必要なデータがすでに収集されており（オペレータがそのようなデータの収集を開始し制御しなくても）、収集されたデータはすでに解析されており、特定の問題がオペレータによる検討および考慮のためすでに利用可能である（例えば、イベントに対する考えられる原因、問題を是正するために講じることができる考えられる対策、および同様のもの、さらにはこれらのさまざまな組合せ）ことを知る。
【０１４９】
図５は、データ収集サーバがデータ収集サーバによるデータ収集の開始を引き起こす複数のイベントの相関を求める例示的な一実施形態を示す。図５は、図１の例示的なワイヤレス通信システムの部分を示している。図５は、例示的なデータ収集システム５００を示しており、これは図４の例示的なデータ収集システム４００に実質的に類似しているが、例示的なデータ収集システム５００は、ＬＴＥネットワーク１１０にアクセスするただ１つのコンシューマＵＥ  １０２ｃを示す例示的なデータ収集システム４００とは反対に、ＬＴＥネットワーク１１０にアクセスする複数のコンシューマＵＥ  １０２ｃを示している。
【０１５０】
図５に示されているように、複数のユーザが、関連するコンシューマＵＥ  １０２ｃを介してＬＴＥネットワーク１１０にアクセスしている。これらのユーザは、それぞれ、データ接続を介して、電話もしくは電話サービスを利用している。それぞれのコンシューマＵＥ  １０２ｃ上で、関連するアプリケーション１０３ｃが１つまたは複数のプリセットされたイベント（例えば、見守るイベント）を監視する。最初に、コンシューマＵＥ  １０２ｃのうちの１つで、アプリケーション１０３ｃが、コンシューマＵＥ  １０２ｃとｅＮｏｄｅＢ  １１１との間の無線通信リンク上のデータ接続に基づきプリセットされたイベントのうちの１つを検出する。アプリケーション１０３ｃは、検出されたイベントの詳細をＤＣＳ  １４０にシグナリングで知らせる。ＤＣＳ  １４０は、単一の検出されたイベントがさらなる処置（例えば、追加の解析、追加のデータの収集、および同様のこと）を保証するかどうかを決定するための処理を（例えば、ＤＣＳ  １４０上に構成された１つまたは複数のパラメータに基づき）実行する。この場合、ＤＣＳ  １４０は、検出されたイベントが分離された場合であり、したがってこの時点ではさらなら処置を講じる必要がないと決定すると仮定される。後で、他のコンシューマＵＥ  １０２ｃ上のアプリケーション１０３ｃは、イベントを検出し、検出されたイベントをＤＣＳ  １４０に報告する。ＤＣＳ  １４０は、それらのイベントを処理し、それらのイベントが相関する、したがって、さらなる処置が保証されると決定する。ＤＣＳ  １４０は、処理ロジックを使用して、データ収集詳細情報を決定する（例えば、追加のデータの収集元となる要素を識別する、収集する追加の情報のタイプを決定する、および同様の操作を行う）。ＤＣＳ  １４０は、識別された要素からデータ収集を開始するためのデータ収集制御情報を生成する。データ収集制御情報は、ＤＣ  １３０がすでに収集されているデータを保存し、および／またはデータの収集を開始することを行わせるように構成される。ＤＣＳ  １４０は、ＤＣ  １３０から収集データを受信し、収集データを解析する。オペレータは、ラップトップ（または他の好適なデバイス）を使ってＤＣＳ  １４０にアクセスし、追加の解析を実行するために必要なデータがすでに収集されており（オペレータがそのようなデータの収集を開始し制御しなくても）、収集されたデータはすでに解析されており、特定の問題がオペレータによる検討および考慮のためすでに利用可能である（例えば、イベントに対する考えられる原因、問題を是正するために講じることができる考えられる対策、および同様のもの、さらにはこれらのさまざまな組合せ）ことを知る。
【０１５１】
図６は、ネットワーク・オペレータがデータ収集システムを使用して新しい市場セグメントにおけるネットワーク性能をテストする例示的な一実施形態を示す。図６は、図１の例示的なワイヤレス通信システムの要素と類似の少なくともいくつかの要素を示している。図６は、例示的なデータ収集システム６００を示している。例示的なデータ収集システム６００は、関連するアプリケーション１０３ｏを有するオペレータＵＥ  １０２ｏを備える（スマートフォンとして図示されているが、オペレータＵＥ  １０２ｏは他の好適な任意のタイプのデバイスであってもよい）。例示的なデータ収集システム６００は、４つのｅＮｏｄｅＢ  ６１１、２つのＳＧＷ  ６１２、１つのＰＧＷ  ６１３、および１つのＩＮＤ  ６２０を備え、それぞれ関連するＤＣ  １３０を備える。４つのｅＮｏｄｅＢ  ６１１は、これらのｅＮｏｄｅＢのうちの２つのｅＮｏｄｅＢがＳＧＷ  ６１２の１つと通信し、これらのｅＮｏｄｅＢのうちの他の２つのｅＮｏｄｅＢがＳＧＷ  ６１２の他の１つと通信するようにＳＧＷ  ６１２と通信する。ＳＧＷ  ６１２は、それぞれ、ＰＧＷ  ６１３と通信する。ＰＧＷ  ６１３は、ＩＮＧ  ６２０と通信する。例示的なデータ収集システム３００は、ｅＮｏｄｅＢ  ６１１、ＳＧＷ  ６１２、ＰＧＷ  ６１３、およびＩＮＧ  ６２０に関連するＤＣ  １３０と通信するように構成された、ＤＣＳ  １４０を備える。ＤＣＳ  １４０は、ラップトップを使用してオペレータによってアクセス可能である。
【０１５２】
図６に示されているように、オペレータは、新しいマーケット６０１のエリアへ車でかける（例えば、そこでは複数の新しいｅＮｏｄｅＢ  ６１１がその地理的領域内でワイヤレス・ネットワーク・アクセスを行えるようにすることを目的として配備されている）。オペレータは、関連するアプリケーション１０３ｏが稼働しているオペレータＵＥ  １０２ｏを携えている。アプリケーション１０３ｏは、１つまたは複数のイベントを監視するように構成され（例えば、コンシューマＵＥ  １０２ｃ上のアプリケーション１０３ｃに類似している）、さらに、オペレータがＤＣＳ  １４０にアクセスし、制御できるように構成される。オペレータは、アプリケーション１０３ｃを使用して、ＤＣＳ  １４０がオペレータＵＥ  １０２ｏからのおよび／またはオペレータＵＥ  １０２ｏへのすべてのデータを受信して監視できるようにＤＣ  １３０を有する要素によるデータ収集を開始すべきであることをＤＣＳ  １４０に通知することができる。オペレータは、アプリケーション１０３ｃを使用して、ＤＣＳ  １４０にアクセスし、さまざまな制御オペレーションを実行することができる（例えば、ＫＰＩ、閾値、および同様のもの、さららにはこれらのさまざまな組合せなどのパラメータを制御するため）。ＤＣＳ  １４０は、新しいマーケット６０１の要素からデータ収集を開始するためのデータ収集制御情報を生成する。データ収集制御情報は、ＤＣ  １３０がすでに収集されているデータを保存し、および／またはデータの収集を開始することを行わせるように構成される。ＤＣＳ  １４０は、ＤＣ  １３０から収集データを受信し、収集データを解析する。オペレータは、オペレータＵＥ  １０２ｏ上のアプリケーション１０３ｏ（または他の好適な任意のデバイス）を介してＤＣＳ  １４０にアクセスし、解析情報のアクセスおよび検討、新しいマーケット６０１のテストの適合、および同様の操作を実行する。
【０１５３】
図７は、データ収集サーバはデータ収集システムから情報を収集し、サードパーティ・システムから情報を収集し、ネットワーク・オペレータによって使用される情報の相関を求める例示的な一実施形態を示す。図７は、図１の例示的なワイヤレス通信システムの部分を示している。図７は、例示的なデータ収集システム７００を示している。例示的なデータ収集システム７００は、アプリケーション１０３ｃを備えるコンシューマＵＥ  １０２ｃを備える（スマートフォンとして図示されているが、コンシューマＵＥ  １０２ｃは他の好適な任意のタイプのデバイスであってもよい）。例示的なデータ収集システム７００は、ｅＮｏｄｅＢ  １１１（これを介してコンシューマＵＥ  １０２ｃはＬＴＥネットワーク１１０にアクセスする）、ＳＧＷ  １１２、ＰＧＷ  １１３、およびＩＮＧ  １２０を備える。例示的なデータ収集システム７００は、ｅＮｏｄｅＢ  １１１、ＳＧＷ  １１２、ＰＧＷ  １１３、およびＩＮＧ  １２０に関連するＤＣ  １３０と通信するように構成された、ＤＣＳ  １４０を備える。例示的なデータ収集システム７００は、ＤＣＳ  １４０およびＳＳ  １６０を備え、両方とも、オペレータがラップトップを使用してアクセスできる、例示的なデータ収集システムは、サードパーティ・システム７７０も含み、これはＳＳ  １６０と通信する。
【０１５４】
図７に示されているように、ユーザは、コンシューマＵＥ  １０２ｃを介して、データ接続を介して電話または電話サービスを使用している。アプリケーション１０３ｃおよびＤＣ  １３０は、１つまたは複数のプリセットされたイベントがないか監視する。ＤＣＳ  １４０は、アプリケーション１０３ｃおよびＤＣ  １３０をポーリングし、ＤＣ  １３０は、イベントが検出されると収集データをＤＣＳ  １４０に送信する。ＤＣＳ  １４０は、受信データおよびイベントを解析して、追加のデータの収集が必要かまたは望ましいかを決定する。例えば、ＤＣＳ  １４０は、ＤＣ  １３０のバッファを見て、１つまたは複数の最近の時間フレームからさらにデータがないか調べることができる。例えば、ＤＣＳ  １４０は、実行される次のアクションを決定することができる（例えば、追加のデータを収集すること、ＬＴＥネットワーク１１０でテストの実行をトリガすること、および同様の操作）。例えば、ＤＣＳ  １４０は、ＳＳ  １６０を介して、サードパーティ・システム７７０から情報を読み取る動作をすることができる（例えば、サードパーティＲＦ解析呼トレース・システムからのデータがＳＳ  １６０を介してＤＣＳ  １４０に送信され、ＤＣ  １３０および／またはコンシューマＵＥ  １０２ｃからＤＣＳ  １４０で受信された情報との相関を求める場合など）。オペレータは、ラップトップ（または他の好適なデバイス）を使ってＤＣＳ  １４０にアクセスし、追加の解析を実行するために必要なデータがすでに収集されており（オペレータがそのようなデータの収集を開始し制御しなくても）、収集されたデータはすでに解析されており、特定の問題がオペレータによる検討および考慮のためすでに利用可能である（例えば、イベントに対する考えられる原因、問題を是正するために講じることができる考えられる対策、および同様のもの、さらにはこれらのさまざまな組合せ）ことを知る。
【０１５５】
一実施形態において、ネットワーク休止機能が、本明細書に図示され説明されている実施形態のうちの１つまたは複数と併せて設けられうる。一実施形態において、ネットワーク休止機能を使用することで、システム（例えば、ＤＣＳ  １４０、ＳＳ  １６０、および同様のもの）は、１つまたは複数のコマンドを発行して１つまたは複数のＵＥ  １０２上の通信を一時的に休止させることができる。ＵＥ  １０２に送信される休止コマンドでは、好適な任意のパラメータを指定することができる。例えば、一時的休止の場合、コマンドは、通信が即座に休止されることを指定することができ、ＵＥ  １０２が通信を再開するまでに待たなければならない時間の長さ（例えば、１０秒、３０秒、６０秒、５分、および同様の時間）を示す再開タイマーを備えることができる。ＵＥ  １０２上の通信の休止／再開の制御は、他の好適な任意のパラメータを使用して制御されうる。ＵＥ  １０２上の通信の休止は、さまざまな理由で実行されうる（例えば、ＵＥ  １０２によって報告されるイベントの診断を円滑にする、ネットワーク内の問題または潜在的問題の診断を円滑にする、ＵＥ  １０２が他のＵＥに負の影響を及ぼすか、または及ぼす可能性のある形でネットワーク・リソースを消費するのを防ぐ、および同様のこと、さらにはこれらのさまざまな組合せ）。
【０１５６】
図８は、ネットワークからのデータの収集を制御するための方法の一実施形態を示す。図８の方法８００は、好適な要素（例えば、図１〜７に関して図示され説明されているＤＣＳ  １４０など）によって実行されうる。図８の方法８００は、図１〜７に関連して読んだときによりよく理解されうる。
【０１５７】
ステップ８１０で、方法８００が開始する。
【０１５８】
ステップ８２０で、データ収集フィードバック情報を受信する。データ収集フィードバック情報は、検出されたイベントに関連する情報（例えば、イベントに関する詳細、イベントの検出に関連する条件、イベントが検出されたときのワイヤレス・ユーザ・デバイスの地理的位置、イベントに関連するタイムスタンプ情報、および同様のもの、さらにはこれらのさまざまな組合せ）を含むものとしてよい。
【０１５９】
ステップ８３０で、ネットワークからデータ収集を開始するかどうかを決定する。決定は、受信したデータ収集フィードバック情報および／または他の好適な任意の情報に基づき行うことができる。例えば、決定は、データ収集フィードバック情報で報告されたイベントの重大度、関係するイベントの数の閾値が検出されたかどうか、および同様のこと、さらにはこれらのさまざまな組合せに基づくものとしてよい。ネットワークからデータ収集を開始しないという決定がなされた場合、方法８００は、ステップ８７０に進み、方法８００は終了する。ネットワークからデータ収集を開始するという決定がなされた場合、方法８００は、ステップ８４０に進む。
【０１６０】
ステップ８４０で、データ収集詳細情報を決定する。データ収集詳細情報は、データ収集フィードバック情報の少なくとも一部を使用して決定されうる。例えば、データ収集詳細情報は、データの収集元となる要素の識別、収集されるデータのタイプ（複数可）、データが収集される期間、実行される１つまたは複数のテストに関連する情報、および同様のもの、さらにはこれらのさまざまな組合せを含むことができる。
【０１６１】
データ収集フィードバック情報がワイヤレス・ユーザ・デバイスから受信され、ワイヤレス・ユーザ・デバイスの地理的位置を示す位置情報を含む（例えば、ワイヤレス・ユーザ・デバイスによるイベントの検出時、現在の時点、および同様の時点において）一実施形態において、データ収集詳細情報の少なくとも一部が、ワイヤレス・ユーザ・デバイスの地理的位置を示す位置情報に少なくとも一部は基づき決定されうる。
【０１６２】
一実施形態において、例えば、ワイヤレス・ユーザ・デバイスの地理的位置を示す位置情報を使用して、ネットワーク経路（例えば、ワイヤレス・アクセス・ノードからゲートウェイ、ＩＰネットワークまでの経路、ワイヤレス・アクセス・ノードからゲートウェイを超える地点、ＩＰネットワークへの経路、および同様の経路）の少なくとも一部を決定し、この経路を介してワイヤレス・ユーザ・デバイスは通信しているか、または通信することが可能である。
【０１６３】
一実施形態において、例えば、ワイヤレス・ユーザ・デバイスの地理的位置を示す位置情報を使用して、ワイヤレス・アクセス・ノードを識別し、これを介して、ワイヤレス・ユーザ・デバイスは、ネットワークにアクセスする。例えば、ワイヤレス・ユーザ・デバイスの地理的位置を示す情報およびネットワーク内のワイヤレス・アクセス・ノードの地理的位置を識別する地理的位置情報が与えられると、ワイヤレス・ユーザ・デバイスによって報告される地理的位置に地理的に最も近いネットワーク内のワイヤレス・アクセス・ノードをワイヤレス・アクセス・ノードとして識別することができる。
【０１６４】
さらなる一実施形態において、例えば、ネットワーク経路の少なくとも一部は、ワイヤレス・アクセス・ノードの識別に基づき識別される。例えば、ワイヤレス・アクセス・ノードの識別を使用して、ネットワーク経路上の次のネットワーク要素を識別することができ、この結果を使用してネットワーク経路上の次のネットワーク要素を識別し、という作業を次々に、ネットワーク経路の一部／全部が識別されてしまうまで続けることができる。ネットワーク経路上の前のノードの識別に加えて、他のタイプの情報もネットワーク経路上の次のノードを識別するために使用されうることに留意されたい。ステップ８５０で、データ収集制御情報を生成する。データ収集制御情報は、データ収集詳細情報の少なくとも一部を使用して生成されうる。データ収集制御情報は、解析のため収集され提供されるデータに関して１つまたは複数の要素に指示するように構成される。
【０１６５】
ステップ８６０で、データ収集制御情報は、ネットワークへ伝搬される。
【０１６６】
ステップ８７０で、方法８００は終了する。
【０１６７】
（わかりやすくするため）終了として図示され説明されているが、方法８００を実行している要素が、動作し続けることができること（例えば、データ収集フィードバック情報を受信して処理すること、ネットワークの要素から収集したデータの解析を実行すること、解析結果をシステムに供給すること、および同様の操作、さらにはこれらのさまざまな組合せのために）、１つまたは複数の他の要素が、データ収集制御情報を受信すると１つまたは複数のデータ収集プロセスを実行することができること、および同様のことは理解されるであろう。
【０１６８】
図９は、イベントの検出に応答してデータ収集フィードバック情報を提供するための方法の一実施形態を示す。図９の方法９００は、好適な要素（例えば、コンシューマまたはオペレータＵＥ  １０２、ネットワーク要素、および同様のものなど）によって実行されうる。図９の方法９００は、図１〜７に関連して読んだときによりよく理解されうる。
【０１６９】
ステップ９１０で、方法９００が開始する。
【０１７０】
ステップ９２０で、イベント監視情報を受信する。イベント監視情報は、１つまたは複数のイベントに対する監視条件を指定する（例えば、ＫＰＩ、閾値、規則、および同様のもの、さらにはこれらのさまざまな組合せ）。
【０１７１】
ステップ９３０で、イベントの検出に対する監視をイベント監視情報に基づき実行する。ステップ９４０で、イベントの検出を監視している間に、イベントが検出されたかどうかを判定する。イベントが検出されていない場合、方法９００はステップ９３０に戻り、イベントの検出の監視を続ける。イベントが検出された場合、方法９００は、ステップ９５０に進む。ステップ９３０および９４０は、単一のステップであるとみなされうることに留意されたい。
【０１７２】
ステップ９５０で、データ収集フィードバック情報を、イベントが検出に基づき決定する。データ収集フィードバック情報は、イベントの検出に関連する情報を含み、これを使用してデータの収集を制御することができる。例えば、データ収集フィードバック情報は、イベント通知の送信元であるＵＥ  １０２に関連するデバイス情報（例えば、ＵＥ  １０２の識別子、ＵＥ  １０２のデバイス・タイプ、および同様のもの）、イベントに関連する詳細（例えば、イベントを検出することを目的として収集されるデータ、イベントの検出に応答して収集されるデータ、イベント識別子／コード、および同様のもの）、イベントに関連する位置情報（例えば、ＬＢＳ情報、ＧＰＳデータ、ジオロケーション・コード、および同様のもののうちの１つまたは複数に基づくものとしてよい、イベントが検出されたときのＵＥ  １０２の位置）、タイムスタンプ情報（例えば、アプリケーション１０３によってイベントが検出された日時、収集データに関連するタイムスタンプ、および同様のもの）、ネットワーク経路情報（例えば、データ経路エンコード識別子、ネットワーク経路が決定される場合の元となるネットワーク・アクセス・ポイント識別情報、および同様のもの）、および同様のもの、さらにはこれらのさまざまな組合せなどの情報を含みうる。
【０１７３】
ステップ９６０で、データ収集フィードバック情報は、システムによって実行されるデータ収集を制御する際に使用するためシステムの方へ伝搬される。
【０１７４】
ステップ９７０で、方法９００は終了する。
【０１７５】
（わかりやすくするため）終了として図示され説明されているが、方法９００を実行している要素が、動作し続けることができること（例えば、現在のイベント監視情報に基づきイベントを監視すること、新しいイベント監視情報を受信し、そのような新しいイベント監視情報に基づきイベントを監視すること、および同様の操作、さらにはこれらのさまざまな組合せのために）、１つまたは複数の他の要素が、データ収集フィードバック情報を受信した後に１つまたは複数のデータ収集プロセスを実行することができること、および同様のことは理解されるであろう。
【０１７６】
特定のタイプのエンドポイント・デバイス（例えば、スマートフォン）と併せてネットワーク解析機能の使用に関して本明細書にもっぱら図示され説明されているが、ネットワーク解析機能の実施形態の少なくともいくつかは、他のタイプのエンドポイント・デバイス（例えば、携帯電話、ネットワーク・アクセスのためにワイヤレス・セルラー技術を使用するコンピュータ、パケット交換技術を利用する他のタイプの携帯電話ワイヤレス対応デバイス、および同様のもの、さらにはこれらのさまざまな組合せ）とともに使用するために適用可能であるものとしてよいことに留意されたい。同様に、ネットワーク解析機能のさまざまな実施形態を、データ通信ネットワーク経路として使用するためにワイヤレス・セルラー・ネットワーク・インターフェースに関連しうるデバイスと併せて使用することができることに留意されたい。
【０１７７】
特定のタイプのワイヤレス・デバイス（例えば、スマートフォン、従来型の携帯電話、および同様のもの）と併せてネットワーク解析機能の使用に関して本明細書にもっぱら図示され説明されているが、さまざまな他のタイプのワイヤレス・デバイス（例えば、タブレット、ネットブック、機械−機械（Ｍ２Ｍ）デバイス、および同様のもの）が、イベントを監視し、データを収集し、フィードバック情報を供給し、ネットワーク解析機能のさまざまな実施形態をサポートする類似の機能を実行することができることに留意されたい。
【０１７８】
特定のタイプのワイヤレス通信ネットワーク（つまり、ＬＴＥ）と併せてネットワーク解析機能の使用に関して本明細書にもっぱら図示され説明されているが、ネットワーク解析機能の実施形態の少なくともいくつかは、他のタイプのワイヤレス通信ネットワーク（例えば、ＣＤＭＡワイヤレス・ネットワーク、マイクロセルベースのネットワーク、フェムトセルベースのネットワーク、および同様のもの）とともに使用するために適用可能であるものとしてよいことに留意されたい。
【０１７９】
ワイヤレス・ネットワークと併せてネットワーク解析機能の使用に関して本明細書にもっぱら図示され説明されているが、ネットワーク解析機能の実施形態の少なくともいくつかは、有線通信ネットワークとともに使用するうえで適用可能であることに留意されたい。
【０１８０】
図１０は、本明細書で説明されている機能を実行する際に使用するのに適しているコンピュータの高水準ブロック図である。
【０１８１】
図１０に示されているように、コンピュータ１０００は、プロセッサ要素７０２（例えば、中央演算処理装置（ＣＰＵ）および／または他の好適なプロセッサ（複数可））およびメモリ１００４（例えば、ランダム・アクセス・メモリ（ＲＡＭ）、リード・オンリー・メモリ（ＲＯＭ）、および同様のもの）を備える。コンピュータ１０００は、オプションにより、連携モジュール／プロセス１００５および／またはさまざまな入出力デバイス１００６（例えば、ユーザ入力デバイス（キーボード、キーパッド、マウス、および同様のもの）、ユーザ出力デバイス（ディスプレイ、スピーカー、および同様のものなど）、入力ポート、出力ポート、受信機、送信機、およびストレージ・デバイス（例えば、テープ・ドライブ、フロッピィ・ドライブ、ハード・ディスク・ドライブ、コンパクト・ディスク・ドライブ、および同様のもの））を備えることができる。
【０１８２】
本明細書に図示され説明されている機能は、専用コンピュータを実装するために汎用コンピュータ上で実行されるソフトウェアで実装され、および／またはハードウェア、１つまたは複数の特定用途向け集積回路（ＡＳＩＣ）、および／または他のハードウェア等価物上に実装されうることは理解されるであろう。一実施形態において、本明細書に図示され説明されている機能の少なくとも一部は、ネットワーク用のネットワーク解析ノード上に実装されうる。一実施形態では、連携プロセス１００５は、メモリ１００４内にロードされ、プロセッサ１００２によって実行されることで、本明細書で説明されているような機能を実装することができる。そのようなものとして、連携プロセス１００５（関連付けられているデータ構造体を含む）は、コンピュータ可読記憶媒体、例えば、ＲＡＭメモリ、磁気もしくは光ドライブもしくはディスケット、および同様のものに格納することができる。
【０１８３】
図１０に示されているコンピュータ１０００は、本明細書で説明されている機能要素および／または本明細書で説明されている機能要素の一部分を実装するのに適した一般的アーキテクチャおよび機能性を備えることは理解されるであろう。例えば、コンピュータ１０００は、ＵＥ、ｅＮｏｄｅＢ、ＳＧＷ、ＰＧＷ、ＭＭＥ、ＨＳＳ、ＡＡＡサーバ、ルータ、ＩＮＧ、ＤＣＳ、ＡＳ、ＳＳ、および同様のもののうちの１つまたは複数を実装するのに適した一般的アーキテクチャおよび機能性を備える。例えば、コンピュータ１０００は、ＵＥ、ｅＮｏｄｅＢ、ＳＧＷ、ＰＧＷ、ルータ、およびＩＮＧのもののうちの１つまたは複数上に実装された、または関連付けられているＤＣのうちの１つまたは複数を実装するのに適した一般的アーキテクチャおよび機能性を備える。
【０１８４】
本明細書でソフトウェア方法として説明される工程のいくつかは、ハードウェア内に、例えば、プロセッサと連携してさまざまな方法ステップを実行する回路として実装することができることが企図されている。本明細書で説明されている機能／要素のいくつかの部分は、コンピュータ命令がコンピュータにより処理されると、本明細書で説明されている方法および／または技術が呼び出されるか、または何らかの方法により提供されるようにコンピュータの動作を適合させるコンピュータ・プログラム製品として実装することができる。本発明の方法を呼び出す命令は、固定または取り外し可能媒体に格納するか、放送または他の信号伝送媒体でデータ・ストリームを介して送信するか、および／または命令に従って動作するコンピューティング・デバイス内のメモリ内に格納することができる。
【０１８５】
さまざまな実施形態の態様は、請求項において規定される。さまざまな実施形態のこれら、および他の態様は、以下の番号が振られている項目において明示される。
【０１８６】
１．ネットワークからのデータの収集を制御するための装置であって、
ネットワークのネットワーク経路を介して通信するように構成されたワイヤレス・ユーザ・デバイスから、ワイヤレス・ユーザ・デバイスによるイベントの検出を示すフィードバック情報を受信し、イベントが検出されたときのワイヤレス・ユーザ・デバイスの地理的位置を示す位置情報をフィードバック情報が含み、
少なくとも一部は位置情報に基づき、イベントに関係するデータを収集するように構成されたネットワーク経路のネットワーク要素を識別し、
識別されたネットワーク要素から収集データを要求するように適合されたメッセージを生成する
ように構成されたプロセッサを備える装置。
【０１８７】
２．位置情報は、
ワイヤレス・ユーザ・デバイスに関連する位置情報サービス（ＬＢＳ）情報、および
ワイヤレス・ユーザ・デバイスに関連するグローバル・ポジショニング・システム（ＧＰＳ）データのうちの少なくとも１つを含む項目１に記載の装置。
【０１８８】
３．位置情報を使用して、ワイヤレス・ユーザ・デバイスの地理的位置の近くに配置されているワイヤレス・アクセス・ノードを識別することによって
プロセッサが、イベントに関係するデータを収集するように構成されたネットワーク経路のネットワーク要素を識別するように構成される
項目１に記載の装置。
【０１８９】
４．識別されるネットワーク要素がワイヤレス・アクセス・ノードである項目３に記載の装置。
【０１９０】
５．プロセッサは、
ネットワーク経路の少なくとも一部を、ワイヤレス・アクセス・ノードの識別に基づき識別し、
ネットワーク経路の識別された少なくとも一部からネットワーク要素を識別するように構成される項目３に記載の装置。
【０１９１】
６．ネットワークの識別されたネットワーク要素からの収集データを要求するように適合されたメッセージは、
データの収集を開始するようネットワーク要素に命令するように構成されたメッセージ、
すでに収集されているデータを取り出すようネットワーク要素に命令するように構成されたメッセージ
のうちの少なくとも１つを含む項目１に記載の装置。
【０１９２】
７．プロセッサは、
生成されたメッセージを識別されたネットワーク要素の方へ伝搬する
ように構成される項目１に記載の装置。
【０１９３】
８．プロセッサは、
ネットワークの識別されたネットワーク要素から収集データを受信し、
収集データを処理して管理機能を実現する
ように構成される項目１に記載の装置。
【０１９４】
９．プロセッサは、
ワイヤレス・ユーザ・デバイスに向かって、イベントを監視するようにワイヤレス・ユーザ・デバイスを構成するための条件情報を伝搬するように構成される項目１に記載の装置。
【０１９５】
１０．プロセッサは、
ワイヤレス・ユーザ・デバイスおよびアプリケーション・サーバのうちの少なくとも１つに向かって、ワイヤレス・ユーザ・デバイスとアプリケーション・サーバとの間でテストを実行する命令を含むメッセージを伝搬するように構成される項目１に記載の装置。
【０１９６】
１１．プロセッサは、
ワイヤレス・ユーザ・デバイスとアプリケーション・サーバとの間で実行されたテストに関連するテスト結果を受信し、
テスト結果に少なくとも一部は基づきデータの収集元となる少なくとも１つのネットワーク要素を識別するように構成される項目１に記載の装置。
【０１９７】
１２．プロセッサは、
ワイヤレス・ユーザ・デバイスに向かって、ワイヤレス・ユーザ・デバイスに一定期間通信を休止させるように適合されたメッセージを伝搬するように構成される項目１に記載の装置。
【０１９８】
１３．ネットワークからのデータの収集を制御するための方法であって、
ネットワークのネットワーク経路を介して通信するように構成されたワイヤレス・ユーザ・デバイスからのネットワーク・ノードで、ワイヤレス・ユーザ・デバイスによるイベントの検出を示すフィードバック情報を受信するステップであって、イベントが検出されたときのワイヤレス・ユーザ・デバイスの地理的位置を示す位置情報をフィードバック情報が含むステップと、
少なくとも一部は位置情報に基づき、イベントに関係するデータを収集するように構成されたネットワーク経路のネットワーク要素を識別するステップと、
識別されたネットワーク要素から収集データを要求するように適合されたメッセージを生成するステップと
を含む方法。
【０１９９】
１４．位置情報は、
ワイヤレス・ユーザ・デバイスに関連する位置情報サービス（ＬＢＳ）情報、および
ワイヤレス・ユーザ・デバイスに関連するグローバル・ポジショニング・システム（ＧＰＳ）データのうちの少なくとも１つを含む項目１３に記載の方法。
【０２００】
１５．イベントに関係するデータを収集するように構成されたネットワーク経路のネットワーク要素を識別するステップは、
位置情報を使用して、ワイヤレス・ユーザ・デバイスの地理的位置の近くに配置されているワイヤレス・アクセス・ノードを識別するステップを含む項目１３に記載の方法。
【０２０１】
１６．ネットワーク経路の少なくとも一部を、ワイヤレス・アクセス・ノードの識別に基づき識別するステップと、
ネットワーク要素をネットワーク経路の識別された少なくとも一部から識別するステップと
をさらに含む項目１５に記載の方法。
【０２０２】
１７．生成されたメッセージを識別されたネットワーク要素に向かって伝搬するステップ
をさらに含む項目１３に記載の方法。
【０２０３】
１８．ネットワークの識別されたネットワーク要素から収集データを受信するステップと、
収集データを処理して管理機能を実現するステップと
をさらに含む項目１３に記載の方法。
【０２０４】
１９．ワイヤレス・ユーザ・デバイスに向かって、ワイヤレス・ユーザ・デバイスに一定期間通信を休止させるように適合されたメッセージを伝搬するステップ
をさらに含む項目１３に記載の方法。
【０２０５】
２０．コンピュータによって実行されたときに、ネットワークからのデータの収集を制御するための方法をコンピュータに実行させる命令を格納するコンピュータ可読記憶媒体であって、方法は、
ネットワークのネットワーク経路を介して通信するように構成されたワイヤレス・ユーザ・デバイスから、ワイヤレス・ユーザ・デバイスによるイベントの検出を示すフィードバック情報を受信するステップであって、イベントが検出されたときのワイヤレス・ユーザ・デバイスの地理的位置を示す位置情報をフィードバック情報が含むステップと、
少なくとも一部は位置情報に基づき、イベントに関係するデータを収集するように構成されたネットワーク経路のネットワーク要素を識別するステップと、
識別されたネットワーク要素に、収集データを要求するように適合されたメッセージを生成するステップと
を含むコンピュータ可読記憶媒体。
【０２０６】
本発明の教示を組み込んださまざまな実施形態が、本明細書において図示され詳細に説明されているが、当業者であれば、なおもこれらの教示を組み込んだ他の多くの変更実施形態を容易に考案することができる。
【図１】
2014225883.tif 000003
【図２】
2014225883.tif 000004
【図３】
2014225883.tif 000005
【図４】
2014225883.tif 000006
【図５】
2014225883.tif 000007
【図６】
2014225883.tif 000008
【図７】
2014225883.tif 000009
【図８】
2014225883.tif 000010
【図９】
2014225883.tif 000011
【図１０】
2014225883.tif 000012